(57)【要約】  本発明は、無線通信システムにおいて、ＵＥ（Ｕｓｅｒ  Ｅｑｕｉｐｍｅｎｔ）が第１のネットワークアクセス及び第２のネットワークアクセスを通じて登録を実行する方法であって、ＵＥが第１のネットワークアクセスを通じて登録を実行するステップと、前記ＵＥが第２のネットワークアクセスを通じて登録を実行するステップと、を含み、前記第１のネットワークアクセスと第２のネットワークアクセスとが同一のＰＬＭＮ（Ｐｕｂｌｉｃ  Ｌａｎｄ  Ｍｏｂｉｌｅ  Ｎｅｔｗｏｒｋ）に属する場合、前記ＵＥは、必ず、前記第１のネットワークアクセスを通じた登録手順が終了した後、前記第２のネットワークアクセスを通じた登録を開始する、登録実行方法に関する。【選択図】図１３
2019537901.tif 000002
【特許請求の範囲】
【請求項１】
無線通信システムにおいて、ＵＥ（Ｕｓｅｒ  Ｅｑｕｉｐｍｅｎｔ）が第１のネットワークアクセス及び第２のネットワークアクセスを通じて登録を実行する方法であって、
ＵＥが第１のネットワークアクセスを通じて登録を実行するステップと、
前記ＵＥが第２のネットワークアクセスを通じて登録を実行するステップと、を含み、
前記第１のネットワークアクセスと第２のネットワークアクセスとが同一のＰＬＭＮ（Ｐｕｂｌｉｃ  Ｌａｎｄ  Ｍｏｂｉｌｅ  Ｎｅｔｗｏｒｋ）に属する場合、前記ＵＥは、必ず、前記第１のネットワークアクセスを通じた登録手順が終了した後、前記第２のネットワークアクセスを通じた登録を開始する、登録実行方法。
【請求項２】
前記ＵＥが第１のネットワークアクセスを通じて登録を実行するときに割り当てられた情報は、前記第２のネットワークアクセスを通じて登録を実行するとき、前記ＵＥのＡＭＦ選択に用いられる、請求項１に記載の登録実行方法。
【請求項３】
前記第１のネットワークアクセスを通じて登録を実行するときに割り当てられた情報から選択されるＡＭＦは、前記第１のネットワークアクセスにおいて、前記ＵＥのＡＭＦとして選択されたＡＭＦと同一である、請求項２に記載の登録実行方法。
【請求項４】
前記ＵＥのＡＭＦの選択は、
第２のネットワークアクセスが３ＧＰＰアクセスである場合、ｇＮＢによって行われ、
第２のネットワークアクセスがＮｏｎ−３ＧＰＰアクセスである場合、Ｎ３ＩＷＦ（Ｎｏｎ−３ＧＰＰ  ＩｎｔｅｒＷｏｒｋｉｎｇ  Ｆｕｎｃｔｉｏｎ）によって行われる、請求項２に記載の登録実行方法。
【請求項５】
前記第１のネットワークアクセス及び前記第２のネットワークアクセスは、それぞれ、Ｎｏｎ−３ＧＰＰアクセス及び３ＧＰＰアクセスである、又は、３ＧＰＰアクセス及びＮｏｎ−３ＧＰＰアクセスである、請求項１に記載の登録実行方法。
【請求項６】
前記Ｎｏｎ−３ＧＰＰアクセスは、ＷＬＡＮアクセスである、請求項５に記載の登録実行方法。
【請求項７】
前記第１のネットワークアクセスを通じて登録を実行するときに割り当てられた情報は、ＡＭＦから割り当てられたＩＤ情報である、請求項２に記載の登録実行方法。
【請求項８】
無線通信システムにおいて、第１のネットワークアクセス及び第２のネットワークアクセスを通じた登録を実行するＵＥ（Ｕｓｅｒ  Ｅｑｕｉｐｍｅｎｔ）装置であって、
送受信装置と、
プロセッサーと、を含み、
前記プロセッサーは、第１のネットワークアクセスを通じて登録を実行して、第２のネットワークアクセスを通じて登録を実行し、
前記第１のネットワークアクセスと第２のネットワークアクセスとが同一のＰＬＭＮ（Ｐｕｂｌｉｃ  Ｌａｎｄ  Ｍｏｂｉｌｅ  Ｎｅｔｗｏｒｋ）に属する場合、前記ＵＥは、必ず、前記第１のネットワークアクセスを通じた登録手順が終了した後、前記第２のネットワークアクセスを通じた登録を開始する、ＵＥ装置。
【請求項９】
前記ＵＥが第１のネットワークアクセスを通じて登録を実行するときに割り当てられた情報は、前記第２のネットワークアクセスを通じて登録を実行するとき、前記ＵＥのＡＭＦ選択に用いられる、請求項８に記載のＵＥ装置。
【請求項１０】
前記第１のネットワークアクセスを通じて登録を実行するときに割り当てられた情報から選択されるＡＭＦは、前記第１のネットワークアクセスにおいて、前記ＵＥのＡＭＦとして選択されたＡＭＦと同一である、請求項９に記載のＵＥ装置。
【請求項１１】
前記ＵＥのＡＭＦの選択は、
第２のネットワークアクセスが３ＧＰＰアクセスである場合、ｇＮＢによって行われ、
第２のネットワークアクセスがＮｏｎ−３ＧＰＰアクセスである場合、Ｎ３ＩＷＦ（Ｎｏｎ−３ＧＰＰ  ＩｎｔｅｒＷｏｒｋｉｎｇ  Ｆｕｎｃｔｉｏｎ）によって行われる、請求項９に記載のＵＥ装置。
【請求項１２】
前記第１のネットワークアクセス及び前記第２のネットワークアクセスは、それぞれ、Ｎｏｎ−３ＧＰＰアクセス及び３ＧＰＰアクセスである、又は、３ＧＰＰアクセス及びＮｏｎ−３ＧＰＰアクセスである、請求項８に記載のＵＥ装置。
【請求項１３】
前記Ｎｏｎ−３ＧＰＰアクセスは、ＷＬＡＮアクセスである、請求項１２に記載のＵＥ装置。
【請求項１４】
前記第１のネットワークアクセスを通じて登録を実行するときに割り当てられた情報は、ＡＭＦから割り当てられたＩＤ情報である、請求項９に記載のＵＥ装置。
【発明の詳細な説明】
【技術分野】
【０００１】
本発明は、無線通信システムに関し、より具体的には、同一のＰＬＭＮ（Ｐｕｂｌｉｃ  Ｌａｎｄ  Ｍｏｂｉｌｅ  Ｎｅｔｗｏｒｋ）に属するネットワークアクセスを通じた登録方法及び装置に関する。
【背景技術】
【０００２】
無線通信システムが音声やデータなどの多様な種類の通信サービスを提供するために広範囲に展開されている。一般に、無線通信システムは利用可能なシステムリソース（帯域幅、送信パワーなど）を共有して複数ユーザとの通信を支援することができる多元接続（ｍｕｌｔｉｐｌｅ  ａｃｃｅｓｓ）システムである。多元接続システムの例としては、ＣＤＭＡ（ｃｏｄｅ  ｄｉｖｉｓｉｏｎ  ｍｕｌｔｉｐｌｅ  ａｃｃｅｓｓ）システム、ＦＤＭＡ（ｆｒｅｑｕｅｎｃｙ  ｄｉｖｉｓｉｏｎ  ｍｕｌｔｉｐｌｅ  ａｃｃｅｓｓ）システム、ＴＤＭＡ（ｔｉｍｅ  ｄｉｖｉｓｉｏｎ  ｍｕｌｔｉｐｌｅ  ａｃｃｅｓｓ）システム、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）システム、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システム、ＭＣ−ＦＤＭＡ（ｍｕｌｔｉ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システムなどがある。
【発明の概要】
【発明が解決しようとする課題】
【０００３】
本発明では、同一のＰＬＭＮに属する３ＧＰＰアクセスとｎｏｎ−３ＧＰＰアクセスに登録手順を行う方法を技術的課題とする。
【０００４】
本発明で遂げようとする技術的目的は上で言及した事項に限定されず、言及していない別の技術的課題は、以下の記載から、本発明の属する技術の分野における通常の知識を有する者によって考慮され得る。
【課題を解決するための手段】
【０００５】
本発明の一実施例は、無線通信システムにおいて、ＵＥ（Ｕｓｅｒ  Ｅｑｕｉｐｍｅｎｔ）が第１のネットワークアクセス及び第２のネットワークアクセスを通じて登録を実行する方法であって、ＵＥが第１のネットワークアクセスを通じて登録を行うステップと、前記ＵＥが第２のネットワークアクセスを通じて登録を行うステップと、を含み、前記第１のネットワークアクセスと第２のネットワークアクセスとが同一のＰＬＭＮ（Ｐｕｂｌｉｃ  Ｌａｎｄ  Ｍｏｂｉｌｅ  Ｎｅｔｗｏｒｋ）に属する場合、前記ＵＥは、必ず、前記第１のネットワークアクセスを通じた登録手順が終了した後、前記第２のネットワークアクセスを通じた登録を開始する、登録実行方法である。
【０００６】
本発明の一実施例は、無線通信システムにおいて、第１のネットワークアクセス及び第２のネットワークアクセスを通じた登録を実行するＵＥ（Ｕｓｅｒ  Ｅｑｕｉｐｍｅｎｔ）装置であって、送受信装置と、プロセッサーと、を含み、前記プロセッサーは、第１のネットワークアクセスを通じて登録を行い、第２のネットワークアクセスを通じて登録を行い、前記第１のネットワークアクセスと第２のネットワークアクセスとが同一のＰＬＭＮ（Ｐｕｂｌｉｃ  Ｌａｎｄ  Ｍｏｂｉｌｅ  Ｎｅｔｗｏｒｋ）に属する場合、前記ＵＥは、必ず、前記第１のネットワークアクセスを通じた登録手順が終了した後、前記第２のネットワークアクセスを通じた登録を開始する、ＵＥ装置である。
【０００７】
前記ＵＥが第１のネットワークアクセスを通じて登録を実行するときに割り当てられた情報は、前記第２のネットワークアクセスを通じた登録を実行するとき、前記ＵＥのＡＭＦ選択に使用することができる。
【０００８】
前記第１のネットワークアクセスを通じて登録を実行するときに割り当てられた情報から選択されるＡＭＦは、前記第１のネットワークアクセスにおいて、前記ＵＥのＡＭＦとして選択されたＡＭＦと同一であってもよい。
【０００９】
前記ＵＥのＡＭＦの選択は、第２のネットワークアクセスが３ＧＰＰアクセスである場合、ｇＮＢによって行われ、第２のネットワークアクセスがＮｏｎ−３ＧＰＰアクセスである場合、Ｎ３ＩＷＦ（Ｎｏｎ−３ＧＰＰ  ＩｎｔｅｒＷｏｒｋｉｎｇ  Ｆｕｎｃｔｉｏｎ）によって行われてもよい。
【００１０】
前記第１のネットワークアクセス及び前記第２のネットワークアクセスは、それぞれ、Ｎｏｎ−３ＧＰＰアクセス及び３ＧＰＰアクセスである、又は、３ＧＰＰアクセス及びＮｏｎ−３ＧＰＰアクセスであってもよい。
【００１１】
前記Ｎｏｎ−３ＧＰＰアクセスは、ＷＬＡＮアクセスであってもよい。
【００１２】
前記第１のネットワークアクセスを通じて登録を実行するときに割り当てられた情報は、ＡＭＦから割り当てられたＩＤ情報であってもよい。
【発明の効果】
【００１３】
本発明によれば、同一のＰＬＭＮに属する３ＧＰＰアクセスとｎｏｎ−３ＧＰＰアクセスに登録手順を制御することで、同一のネットワークファンクションがＵＥのために割り当てられることができるため、効率的である。これによって、２つの互いに異なるアクセスを通じて登録したＵＥに対して、認証、移動性管理、セッション管理などを１つのネットワークファンクションが統合的且つ効率的に支援することができる。
【００１４】
本発明で得られる効果は上で言及した効果に制限されず、言及しなかった他の効果は下の記載から本発明が属する当該技術分野の当業者に明確に理解可能であろう。
【図面の簡単な説明】
【００１５】
本明細書に添付する図面は、本発明に対する理解を提供するためのものであって、本発明の様々な実施形態を示し、明細書の記載と共に本発明の原理を説明するためのものである。
【図１】ＥＰＣ（Ｅｖｏｌｖｅｄ  Ｐａｃｋｅｔ  Ｃｏｒｅ）を含むＥＰＳ（Ｅｖｏｌｖｅｄ  Ｐａｃｋｅｔ  Ｓｙｓｔｅｍ）の概略的な構造を示す図である。
【図２】一般的なＥ−ＵＴＲＡＮとＥＰＣのアーキテクチャーを例示する図である。
【図３】制御プレーンにおける無線インターフェースプロトコルの構造を例示する図である。
【図４】ユーザプレーンにおける無線インターフェースプロトコルの構造を例示する図である。
【図５】ランダムアクセス過程を説明するためのフローチャートである。
【図６】無線リソース制御（ＲＲＣ）層における接続過程を示す図である。
【図７】５Ｇシステムを説明するための図である。
【図８】ｓｔａｎｄａｌｏｎｅ  ｕｎｔｒｕｓｔｅｄ  ｎｏｎ−３ＧＰＰアクセスに対するＮｅｘｔＧｅｎ  Ｈｉｇｈ−ｌｅｖｅｌ  ａｒｃｈｉｔｅｃｔｕｒｅを例示する図である。
【図９】Ｎｏｎ−Ｒｏａｍｉｎｇ  ＮｅｘｔＧｅｎ  Ａｒｃｈｉｔｅｃｔｕｒｅを示す図である。
【図１０】登録手順（Ｒｅｇｉｓｔｒａｔｉｏｎ  ｐｒｏｃｅｄｕｒｅｓ）を示す図である。
【図１１】ＥＰＳにおけるｎｏｎ  ｒｏａｍｉｎｇ構造を示す図である。
【図１２】ＵＥがＷＬＡＮアクセスのようなｎｏｎ−３ＧＰＰアクセスと３ＧＰＰアクセスを通じてＮＧコアネットワークに接続される場合の様々な例を示す図である。
【図１３】本発明の実施例に関連して、具体的な登録手順の例を説明するための図である。
【図１４】本発明の実施例に関連して、具体的な登録手順の例を説明するための図である。
【図１５】本発明の実施例に関連して、具体的な登録手順の例を説明するための図である。
【図１６】本発明の実施例によるノード装置に対する構成を例示する図である。
【発明を実施するための形態】
【００１６】
以下に説明する実施例は本発明の構成要素と特徴が所定の形態に結合されたものである。各構成要素又は特徴は別途の明示的言及がない限り選択的なものとして考慮されなければならない。各構成要素又は特徴は他の構成要素又は特徴と結合しない形態で実施されることができる。また、一部の構成要素及び／又は特徴を結合して本発明の実施例を構成することもできる。本発明の実施例で説明する動作の順序は変更されることができる。一実施例の一部の構成又は特徴は他の実施例に含まれることができ、或いは他の実施例の対応する構成又は特徴と取り替えられることができる。
【００１７】
以下の説明で使われる特定の用語は、本発明の理解を助けるために提供されるものであり、このような特定の用語の使用は、本発明の技術的思想から逸脱しない範囲で他の形態に変更することもできる。
【００１８】
いくつかの場合、本発明の概念が曖昧になることを避けるために、公知の構造及び装置を省略したり、各構造及び装置の核心機能を中心にしたブロック図の形式で示すことができる。また、本明細書全体を通じて同一の構成要素については、同一の図面符号を付して説明する。
【００１９】
本発明の実施例は、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２系列システム、３ＧＰＰシステム、３ＧＰＰ  ＬＴＥ／ＬＴＥ−Ａシステム及び３ＧＰＰ２システムのうち少なくとも１つに関して開示された標準文書によって裏付けられることができる。すなわち、本発明の実施例のうち、本発明の技術的思想を明確にするために説明を省いた段階又は部分は、上記文書によって裏付けられることができる。また、本文書で開示している用語はいずれも上記標準文書によって説明することができる。
【００２０】
以下の技術は様々な無線通信システムにおいて用いられることができる。以下、説明を明確にするために、３ＧＰＰ  ＬＴＥ及び３ＧＰＰ  ＬＴＥ−Ａシステムを中心に記述するが、本発明の技術的思想がこれに制限されるわけではない。
【００２１】
本文書において使用される用語は、以下のように定義される。
【００２２】
−  ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）：  ３ＧＰＰによって開発された、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）ベースの第３世代（Ｇｅｎｅｒａｔｉｏｎ）移動通信技術。
【００２３】
−  ＥＰＳ（Ｅｖｏｌｖｅｄ  Ｐａｃｋｅｔ  Ｓｙｓｔｅｍ）：  ＩＰ（Ｉｎｔｅｒｎｅｔ  Ｐｒｏｔｏｃｏｌ）ベースのＰＳ（ｐａｃｋｅｔ  ｓｗｉｔｃｈｅｄ）コアネットワークであるＥＰＣ（Ｅｖｏｌｖｅｄ  Ｐａｃｋｅｔ  Ｃｏｒｅ）とＬＴＥ／ＵＴＲＡＮなどのアクセスネットワークで構成されたネットワークシステム。ＵＭＴＳが進化した形態のネットワークである。
【００２４】
−  ＮｏｄｅＢ：  ＧＥＲＡＮ／ＵＴＲＡＮの基地局。屋外に設けられて、カバレッジはマクロセル（ｍａｃｒｏ  ｃｅｌｌ）規模である。
【００２５】
−  ｅＮｏｄｅＢ：  Ｅ−ＵＴＲＡＮの基地局。屋外に設けられて、カバレッジはマクロセル（ｍａｃｒｏ  ｃｅｌｌ）規模である。
【００２６】
−  ＵＥ（Ｕｓｅｒ  Ｅｑｕｉｐｍｅｎｔ）：  ユーザ機器。ＵＥは、端末（ｔｅｒｍｉｎａｌ）、ＭＥ（Ｍｏｂｉｌｅ  Ｅｑｕｉｐｍｅｎｔ）、ＭＳ（Ｍｏｂｉｌｅ  Ｓｔａｔｉｏｎ）などの用語でも呼ばれる。また、ＵＥは、ノートパソコン、携帯電話、ＰＤＡ（Ｐｅｒｓｏｎａｌ  Ｄｉｇｉｔａｌ  Ａｓｓｉｓｔａｎｔ）、スマートフォン、マルチメディア機器などのように携帯可能な機器であってもよく、又はＰＣ（Ｐｅｒｓｏｎａｌ  Ｃｏｍｐｕｔｅｒ）、車両搭載装置のように、携帯不可能な機器であってもよい。ＭＴＣに関する内容において、ＵＥ又は端末という用語は、ＭＴＣデバイスと称してもよい。
【００２７】
−  ＨＮＢ（Ｈｏｍｅ  ＮｏｄｅＢ）：  ＵＭＴＳネットワークの基地局であって、屋外に設けられて、カバレッジはマイクロセル（ｍｉｃｒｏ  ｃｅｌｌ）規模である。
【００２８】
−  ＨｅＮＢ（Ｈｏｍｅ  ｅＮｏｄｅＢ）：  ＥＰＳネットワークの基地局であって、屋外に設けられ、カバレッジはマイクロセル規模である。
【００２９】
−  ＭＭＥ（Ｍｏｂｉｌｉｔｙ  Ｍａｎａｇｅｍｅｎｔ  Ｅｎｔｉｔｙ）：  移動性管理（Ｍｏｂｉｌｉｔｙ  Ｍａｎａｇｅｍｅｎｔ；ＭＭ）、セッション管理（Ｓｅｓｓｉｏｎ  Ｍａｎａｇｅｍｅｎｔ；ＳＭ）機能を行うＥＰＳネットワークのネットワークノード。
【００３０】
−  ＰＤＮ−ＧＷ（Ｐａｃｋｅｔ  Ｄａｔａ  Ｎｅｔｗｏｒｋ−Ｇａｔｅｗａｙ）／ＰＧＷ：  ＵＥ  ＩＰアドレス割り当て、パケットスクリーニング（ｓｃｒｅｅｎｉｎｇ）及びフィルタリング、課金データ収集（ｃｈａｒｇｉｎｇ  ｄａｔａ  ｃｏｌｌｅｃｔｉｏｎ）機能などを行うＥＰＳネットワークのネットワークノード。
【００３１】
−  ＳＧＷ（Ｓｅｒｖｉｎｇ  Ｇａｔｅｗａｙ）：  移動性アンカー（ｍｏｂｉｌｉｔｙ  ａｎｃｈｏｒ）、パケットルーティング（ｒｏｕｔｉｎｇ）、遊休（ｉｄｌｅ）モードパケットバッファリング、ＭＭＥがＵＥをページングするようにトリガする機能などを行うＥＰＳネットワークのネットワークノード。
【００３２】
−  ＮＡＳ（Ｎｏｎ−Ａｃｃｅｓｓ  Ｓｔｒａｔｕｍ）：  ＵＥとＭＭＥとの間の制御プレーン（ｃｏｎｔｒｏｌ  ｐｌａｎｅ）の上位層（ｓｔｒａｔｕｍ）。ＬＴＥ／ＵＭＴＳプロトコルスタックにおいてＵＥとコアネットワークとのシグナリング、トラフィックメッセージをやりとりするための機能的な層であって、ＵＥの移動性を支援して、ＵＥとＰＤＮ  ＧＷとのＩＰ接続を確立（ｅｓｔａｂｌｉｓｈ）及び維持するセッション管理手順を支援することを主な機能とする。
【００３３】
−  ＰＤＮ（Ｐａｃｋｅｔ  Ｄａｔａ  Ｎｅｔｗｏｒｋ）：  特定のサービスを支援するサーバー（例えば、ＭＭＳ（Ｍｕｌｔｉｍｅｄｉａ  Ｍｅｓｓａｇｉｎｇ  Ｓｅｒｖｉｃｅ）サーバー、ＷＡＰ（Ｗｉｒｅｌｅｓｓ  Ａｐｐｌｉｃａｔｉｏｎ  Ｐｒｏｔｏｃｏｌ）サーバーなど）が位置しているネットワーク。
【００３４】
−  ＰＤＮ接続：  １つのＩＰアドレス（１つのＩＰｖ４アドレス及び／又は１つのＩＰｖ６プリフィックス）で表現される、ＵＥとＰＤＮとの論理的な接続。
【００３５】
−  ＲＡＮ（Ｒａｄｉｏ  Ａｃｃｅｓｓ  Ｎｅｔｗｏｒｋ）：  ３ＧＰＰネットワークにおいて、ＮｏｄｅＢ、ｅＮｏｄｅＢ及びこれらを制御するＲＮＣ（Ｒａｄｉｏ  Ｎｅｔｗｏｒｋ  Ｃｏｎｔｒｏｌｌｅｒ）を含む単位。ＵＥ間に存在して、コアネットワークへの接続を提供する。
【００３６】
−  ＨＬＲ（Ｈｏｍｅ  Ｌｏｃａｔｉｏｎ  Ｒｅｇｉｓｔｅｒ）／ＨＳＳ（Ｈｏｍｅ  Ｓｕｂｓｃｒｉｂｅｒ  Ｓｅｒｖｅｒ）：  ３ＧＰＰネットワーク内の加入者情報を有しているデータベース。ＨＳＳは、設定記憶（ｃｏｎｆｉｇｕｒａｔｉｏｎ  ｓｔｏｒａｇｅ）、アイデンティティ管理（ｉｄｅｎｔｉｔｙ  ｍａｎａｇｅｍｅｎｔ）、ユーザ状態記憶などの機能を行うことができる。
【００３７】
−  ＰＬＭＮ（Ｐｕｂｌｉｃ  Ｌａｎｄ  Ｍｏｂｉｌｅ  Ｎｅｔｗｏｒｋ）：  個人に移動通信サービスを提供することを目的として構成されたネットワーク。オペレーター別に区分して構成することができる。
【００３８】
−  Ｐｒｏｘｉｍｉｔｙ  Ｓｅｒｖｉｃｅ（又は、ＰｒｏＳｅ  Ｓｅｒｖｉｃｅ或いはＰｒｏｘｉｍｉｔｙ  ｂａｓｅｄ  Ｓｅｒｖｉｃｅ）：  物理的に近接する装置間のディスカバリー及び相互直接的なコミュニケーション又は基地局によるコミュニケーション又は第３の装置によるコミュニケーションが可能なサービス。このとき、ユーザプレーンデータ（ｕｓｅｒ  ｐｌａｎｅ  ｄａｔａ）は、３ＧＰＰコアネットワーク（例えば、ＥＰＣ）を経ずに、直接データ経路（ｄｉｒｅｃｔ  ｄａｔａ  ｐａｔｈ）を通じて交換される。
【００３９】
ＥＰＣ（Ｅｖｏｌｖｅｄ  Ｐａｃｋｅｔ  Ｃｏｒｅ）
【００４０】
図１はＥＰＣ（Ｅｖｏｌｖｅｄ  Ｐａｃｋｅｔ  Ｃｏｒｅ）を含むＥＰＳ（Ｅｖｏｌｖｅｄ  Ｐａｃｋｅｔ  Ｓｙｓｔｅｍ）の概略的な構造を示す図である。
【００４１】
ＥＰＣは３ＧＰＰ技術の性能を向上するためのＳＡＥ（Ｓｙｓｔｅｍ  Ａｒｃｈｉｔｅｃｔｕｒｅ  Ｅｖｏｌｕｔｉｏｎ）の核心的な要素である。ＳＡＥは多様な種類のネットワーク間の移動性を支援するネットワーク構造を決定する研究課題に相当する。ＳＡＥは、例えばＩＰに基づいて多様な無線接続技術を支援し、より向上したデータ送信能力を提供するなどの最適化したパケットベースのシステムを提供することを目標とする。
【００４２】
具体的に、ＥＰＣは３ＧＰＰ  ＬＴＥシステムのためのＩＰ移動通信システムのコアネットワーク（Ｃｏｒｅ  Ｎｅｔｗｏｒｋ）であり、パケットベースのリアルタイム及び非リアルタイムサービスを支援することができる。既存の移動通信システム（すなわち、第２世代又は第３世代移動通信システム）では音声のためのＣＳ（Ｃｉｒｃｕｉｔ−Ｓｗｉｔｃｈｅｄ）及びデータのためのＰＳ（Ｐａｃｋｅｔ−Ｓｗｉｔｃｈｅｄ）の二つの区別されるサブドメインによってコアネットワークの機能が具体的に実現された。しかし、第３世代移動通信システムの進化である３ＧＰＰ  ＬＴＥシステムでは、ＣＳ及びＰＳのサブドメインが一つのＩＰドメインに単一化した。すなわち、３ＧＰＰ  ＬＴＥシステムでは、ＩＰ能力（ｃａｐａｂｉｌｉｔｙ）を有する端末と端末間の接続が、ＩＰベースの基地局（例えば、ｅＮｏｄｅＢ（ｅｖｏｌｖｅｄ  ＮｏｄｅＢ））、ＥＰＣ、アプリケーションドメイン（例えば、ＩＭＳ（ＩＰ  Ｍｕｌｔｉｍｅｄｉａ  Ｓｕｂｓｙｓｔｅｍ））で構成されることができる。すなわち、ＥＰＣは端対端（ｅｎｄ−ｔｏ−ｅｎｄ）ＩＰサービスの具体的な実現に必須な構造である。
【００４３】
ＥＰＣは多様な構成要素を含むことができ、図１は、その一部に相当する、ＳＧＷ（Ｓｅｒｖｉｎｇ  Ｇａｔｅｗａｙ）、ＰＤＮ  ＧＷ（Ｐａｃｋｅｔ  Ｄａｔａ  Ｎｅｔｗｏｒｋ  Ｇａｔｅｗａｙ）、ＭＭＥ（Ｍｏｂｉｌｉｔｙ  Ｍａｎａｇｅｍｅｎｔ  Ｅｎｔｉｔｙ）、ＳＧＳＮ（Ｓｅｒｖｉｎｇ  ＧＰＲＳ（Ｇｅｎｅｒａｌ  Ｐａｃｋｅｔ  Ｒａｄｉｏ  Ｓｅｒｖｉｃｅ）Ｓｕｐｐｏｒｔｉｎｇ  Ｎｏｄｅ）、ｅＰＤＧ（ｅｎｈａｎｃｅｄ  Ｐａｃｋｅｔ  Ｄａｔａ  Ｇａｔｅｗａｙ）を示す。
【００４４】
ＳＧＷ（又はＳ−ＧＷ）は無線接続ネットワーク（ＲＡＮ）とコアネットワーク間の境界点として動作し、ｅＮｏｄｅＢとＰＤＮ  ＧＷ間のデータ経路を維持する機能を行う要素である。また、端末がｅＮｏｄｅＢによってサービング（ｓｅｒｖｉｎｇ）される領域にわたって移動する場合、ＳＧＷはローカル移動性アンカーポイント（ａｎｃｈｏｒ  ｐｏｉｎｔ）の役目をする。すなわち、Ｅ−ＵＴＲＡＮ（３ＧＰＰリリース８以後に定義されるＥｖｏｌｖｅｄ−ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）Ｔｅｒｒｅｓｔｒｉａｌ  Ｒａｄｉｏ  Ａｃｃｅｓｓ  Ｎｅｔｗｏｒｋ）内での移動性のためにＳＧＷを介してパケットがルーティングされることができる。また、ＳＧＷは他の３ＧＰＰネットワーク（３ＧＰＰリリース８以前に定義されるＲＡＮ、例えばＵＴＲＡＮ又はＧＥＲＡＮ（ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）／ＥＤＧＥ（Ｅｎｈａｎｃｅｄ  Ｄａｔａ  ｒａｔｅｓ  ｆｏｒ  Ｇｌｏｂａｌ  Ｅｖｏｌｕｔｉｏｎ）Ｒａｄｉｏ  Ａｃｃｅｓｓ  Ｎｅｔｗｏｒｋ）との移動性のためのアンカーポイントとして機能することもできる。
【００４５】
ＰＤＮ  ＧＷ（又はＰ−ＧＷ）はパケットデータネットワークに向かうデータインターフェースの終点（ｔｅｒｍｉｎａｔｉｏｎ  ｐｏｉｎｔ）に相当する。ＰＤＮ  ＧＷはポリシー執行特徴（ｐｏｌｉｃｙ  ｅｎｆｏｒｃｅｍｅｎｔ  ｆｅａｔｕｒｅｓ）、パケットフィルタリング（ｐａｃｋｅｔ  ｆｉｌｔｅｒｉｎｇ）、課金支援（ｃｈａｒｇｉｎｇ  ｓｕｐｐｏｒｔ）などを支援することができる。また、３ＧＰＰネットワークと非３ＧＰＰネットワーク（例えば、Ｉ−ＷＬＡＮ（Ｉｎｔｅｒｗｏｒｋｉｎｇ  Ｗｉｒｅｌｅｓｓ  Ｌｏｃａｌ  Ａｒｅａ  Ｎｅｔｗｏｒｋ）のような信頼できないネットワーク、ＣＤＭＡ（Ｃｏｄｅ  ｄｉｖｉｓｉｏｎ  ｍｕｌｔｉｐｌｅ  ａｃｃｅｓｓ）ネットワーク又はＷｉＭａｘのような信頼できるネットワーク）との移動性管理のためのアンカーポイントの役目をすることができる。
【００４６】
図１のネットワーク構造の例示では、ＳＧＷとＰＤＮ  ＧＷが別個のゲートウェイで構成されるものを示すが、二つのゲートウェイが単一ゲートウェイ構成オプション（Ｓｉｎｇｌｅ  Ｇａｔｅｗａｙ  Ｃｏｎｆｉｇｕｒａｔｉｏｎ  Ｏｐｔｉｏｎ）によって具体的に実現されることもできる。
【００４７】
ＭＭＥは、ＵＥのネットワーク接続に対するアクセス、ネットワークリソースの割り当て、トラッキング（ｔｒａｃｋｉｎｇ）、ページング（ｐａｇｉｎｇ）、ローミング（ｒｏａｍｉｎｇ）及びハンドオーバーなどを支援するためのシグナリング及び制御機能を行う要素である。ＭＭＥは加入者及びセッション管理に係わる制御プレーン（ｃｏｎｔｒｏｌ  ｐｌａｎｅ）の機能を制御する。ＭＭＥは幾多のｅＮｏｄｅＢを管理し、他の２Ｇ／３Ｇネットワークに対するハンドオーバーのための従来のゲートウェイの選択のためのシグナリングを行う。また、ＭＭＥはセキュリティ過程（Ｓｅｃｕｒｉｔｙ  Ｐｒｏｃｅｄｕｒｅｓ）、端末対ネットワークセッションハンドリング（Ｔｅｒｍｉｎａｌ−ｔｏ−ｎｅｔｗｏｒｋ  Ｓｅｓｓｉｏｎ  Ｈａｎｄｌｉｎｇ）、遊休端末位置決定管理（Ｉｄｌｅ  Ｔｅｒｍｉｎａｌ  Ｌｏｃａｔｉｏｎ  Ｍａｎａｇｅｍｅｎｔ）などの機能を行う。
【００４８】
ＳＧＳＮは他の３ＧＰＰネットワーク（例えば、ＧＰＲＳネットワーク）に対するユーザの移動性管理及び認証（ａｕｔｈｅｎｔｉｃａｔｉｏｎ）のような全てのパケットデータをハンドリングする。
【００４９】
ｅＰＤＧは信頼できない非３ＧＰＰネットワーク（例えば、Ｉ−ＷＬＡＮ、ＷｉＦｉホットスポット（ｈｏｔｓｐｏｔ）など）に対するセキュリティノードとしての役目をする。
【００５０】
図１を参照して説明したように、ＩＰ能力を有する端末は、３ＧＰＰアクセスはもちろんのこと、非３ＧＰＰアクセスに基づいてもＥＰＣ内の多様な要素を介して事業者（すなわち、オペレーター（ｏｐｅｒａｔｏｒ））が提供するＩＰサービスネットワーク（例えば、ＩＭＳ）にアクセスすることができる。
【００５１】
また、図１では多様なレファレンスポイント（例えば、Ｓ１−Ｕ、Ｓ１−ＭＭＥなど）を示す。３ＧＰＰシステムでは、Ｅ−ＵＴＲＡＮ及びＥＰＣの互いに異なる機能個体（ｆｕｎｃｔｉｏｎａｌ  ｅｎｔｉｔｙ）に存在する二つの機能を接続する概念的なリンクをレファレンスポイント（ｒｅｆｅｒｅｎｃｅ  ｐｏｉｎｔ）と定義する。次の表１は図１に示したレファレンスポイントをまとめたものである。表１の例示の外にもネットワーク構造によって多様なレファレンスポイントが存在することができる。
【００５２】
【表１−１】
2019537901.tif 000003
【００５３】
【表１−２】
2019537901.tif 000004
【００５４】
図１に示したレファレンスポイントのうちＳ２ａ及びＳ２ｂは非３ＧＰＰインターフェースに相当する。Ｓ２ａは信頼できる非３ＧＰＰアクセス及びＰＤＮ  ＧＷ間の関連制御及び移動性支援をユーザプレーンに提供するレファレンスポイントである。Ｓ２ｂはｅＰＤＧ及びＰＤＮ  ＧＷ間の関連制御及び移動性支援をユーザプレーンに提供するレファレンスポイントである。
【００５５】
図２は、一般的なＥ−ＵＴＲＡＮとＥＰＣのアーキテクチャーを例示する図である。
【００５６】
図示のように、ｅＮｏｄｅＢはＲＲＣ（Ｒａｄｉｏ  Ｒｅｓｏｕｒｃｅ  Ｃｏｎｔｒｏｌ）接続が活性化しているうちにゲートウェイへのルーティング、ページングメッセージのスケジューリング及び送信、ブロードキャストチャンネル（ＢＣＨ）のスケジューリング及び送信、上りリンク及び下りリンクでのリソースのＵＥへの動的割当て、ｅＮｏｄｅＢの測定のための設定及び提供、無線ベアラー制御、無線許可制御（ｒａｄｉｏ  ａｄｍｉｓｓｉｏｎ  ｃｏｎｔｒｏｌ）、及び接続移動性制御などのための機能を行うことができる。ＥＰＣ内ではページング発生、ＬＴＥ＿ＩＤＬＥ状態管理、ユーザプレーンの暗号化、ＳＡＥベアラー制御、ＮＡＳシグナリングの暗号化及び完全性保護機能を行うことができる。
【００５７】
図３は、端末と基地局間の制御プレーンでの無線インターフェースプロトコル（Ｒａｄｉｏ  Ｉｎｔｅｒｆａｃｅ  Ｐｒｏｔｏｃｏｌ）の構造を例示する図であり、図４は、端末と基地局間のユーザプレーンでの無線インターフェースプロトコルの構造を例示する図である。
【００５８】
前記無線インターフェースプロトコルは、３ＧＰＰ無線接続網規格を基盤とする。前記無線インターフェースプロトコルは、水平的に物理層（Ｐｈｙｓｉｃａｌ  Ｌａｙｅｒ）、データリンク層（Ｄａｔａ  Ｌｉｎｋ  Ｌａｙｅｒ）及びネットワーク層（Ｎｅｔｗｏｒｋ  Ｌａｙｅｒ）からなり、垂直的にはデータ情報送信のためのユーザプレーン（Ｕｓｅｒ  Ｐｌａｎｅ）と制御信号（Ｓｉｇｎａｌｉｎｇ）伝達のための制御プレーン（Ｃｏｎｔｒｏｌ  ｐｌａｎｅ）とに区分される。
【００５９】
前記プロトコル層は通信システムで広く知られた開放型システム間の相互接続（Ｏｐｅｎ  Ｓｙｓｔｅｍ  Ｉｎｔｅｒｃｏｎｎｅｃｔｉｏｎ；ＯＳＩ）基準モデルの下位３層を基にしてＬ１（第１層）、Ｌ２（第２層）、Ｌ３（第３層）に区分されることができる。
【００６０】
以下、上述した図３に示した制御プレーンの無線プロトコルと、図４に示したユーザプレーンでの無線プロトコルの各層を説明する。
【００６１】
第１層である物理層は、物理チャンネル（Ｐｈｙｓｉｃａｌ  Ｃｈａｎｎｅｌ）を用いて情報送信サービス（Ｉｎｆｏｒｍａｔｉｏｎ  Ｔｒａｎｓｆｅｒ  Ｓｅｒｖｉｃｅ）を提供する。前記物理層は、上位の媒体アクセス制御（Ｍｅｄｉｕｍ  Ａｃｃｅｓｓ  Ｃｏｎｔｒｏｌ）層とは送信チャンネル（Ｔｒａｎｓｐｏｒｔ  Ｃｈａｎｎｅｌ）を介して接続されており、前記送信チャンネルを介して媒体アクセス制御層と物理層間のデータが伝達される。そして、互いに異なる物理層の間、つまり送信側と受信側の物理層の間は物理チャンネルを介してデータが伝達される。
【００６２】
物理チャンネル（Ｐｈｙｓｉｃａｌ  Ｃｈａｎｎｅｌ）は時間軸上の複数のサブフレームと周波数軸上の複数のサブキャリア（Ｓｕｂ−ｃａｒｒｉｅｒ）で構成される。ここで、一つのサブフレーム（Ｓｕｂ−ｆｒａｍｅ）は時間軸上の複数のシンボル（Ｓｙｍｂｏｌ）と複数のサブキャリアで構成される。一つのサブフレームは複数のリソースブロック（Ｒｅｓｏｕｒｃｅ  Ｂｌｏｃｋ）で構成され、一つのリソースブロックは複数のシンボル（Ｓｙｍｂｏｌ）と複数のサブキャリアで構成される。データが送信される単位時間であるＴＴＩ（Ｔｒａｎｓｍｉｓｓｉｏｎ  Ｔｉｍｅ  Ｉｎｔｅｒｖａｌ）は一つのサブフレームに相当する１ｍｓである。
【００６３】
前記送信側と受信側の物理層に存在する物理チャンネルは、３ＧＰＰ  ＬＴＥによれば、データチャンネルであるＰＤＳＣＨ（Ｐｈｙｓｉｃａｌ  Ｄｏｗｎｌｉｎｋ  Ｓｈａｒｅｄ  Ｃｈａｎｎｅｌ）及びＰＵＳＣＨ（Ｐｈｙｓｉｃａｌ  Ｕｐｌｉｎｋ  Ｓｈａｒｅｄ  Ｃｈａｎｎｅｌ）、及び制御チャンネルであるＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）及びＰＵＣＣＨ（Ｐｈｙｓｉｃａｌ  Ｕｐｌｉｎｋ  Ｃｏｎｔｒｏｌ  Ｃｈａｎｎｅｌ）に区分することができる。
【００６４】
第２層には様々な層が存在する。
【００６５】
まず、第２層の媒体アクセス制御（Ｍｅｄｉｕｍ  Ａｃｃｅｓｓ  Ｃｏｎｔｒｏｌ；ＭＡＣ）層は多様な論理チャンネル（Ｌｏｇｉｃａｌ  Ｃｈａｎｎｅｌ）を多様な送信チャンネルにマッピングする役目をし、また多様な論理チャンネルを一つの送信チャンネルにマッピングする論理チャンネル多重化（Ｍｕｌｔｉｐｌｅｘｉｎｇ）の役目を行う。ＭＡＣ層は上位層であるＲＬＣ層とは論理チャンネル（Ｌｏｇｉｃａｌ  Ｃｈａｎｎｅｌ）で接続されており、論理チャンネルは、大別して、送信される情報の種類によって制御プレーン（Ｃｏｎｔｒｏｌ  ｐｌａｎｅ）の情報を送信する制御チャンネル（Ｃｏｎｔｒｏｌ  Ｃｈａｎｎｅｌ）とユーザプレーン（Ｕｓｅｒ  Ｐｌａｎｅ）の情報を送信するトラフィックチャンネル（Ｔｒａｆｆｉｃ  Ｃｈａｎｎｅｌ）に区分される。
【００６６】
第２層の無線リンク制御（Ｒａｄｉｏ  Ｌｉｎｋ  Ｃｏｎｔｒｏｌ；ＲＬＣ）層は上位層から受信したデータを分割（Ｓｅｇｍｅｎｔａｔｉｏｎ）及び連結（Ｃｏｎｃａｔｅｎａｔｉｏｎ）して、下位層が無線区間にデータを送信するのに適するようにデータの大きさを調節する役割を行う。
【００６７】
第２層のパケットデータコンバージェンスプロトコル（Ｐａｃｋｅｔ  Ｄａｔａ  Ｃｏｎｖｅｒｇｅｎｃｅ  Ｐｒｏｔｏｃｏｌ；ＰＤＣＰ）層はＩＰｖ４又はＩＰｖ６のようなＩＰパケットの送信時に帯域幅の小さな無線区間で効率的に送信するために、相対的に大きくて不要な制御情報を含んでいるＩＰパケットヘッダーのサイズを減らすヘッダー圧縮（Ｈｅａｄｅｒ  Ｃｏｍｐｒｅｓｓｉｏｎ）の機能を行う。また、ＬＴＥシステムではＰＤＣＰ層がセキュリティ（Ｓｅｃｕｒｉｔｙ）機能も行う。これは第３者のデータ傍受を防止する暗号化（Ｃｉｐｈｅｒｉｎｇ）と第３者のデータ操作を防止する完全性保護（Ｉｎｔｅｇｒｉｔｙ  ｐｒｏｔｅｃｔｉｏｎ）で構成される。
【００６８】
第３層の最上部に位置する無線リソース制御（Ｒａｄｉｏ  Ｒｅｓｏｕｒｃｅ  Ｃｏｎｔｒｏｌ；以下ＲＲＣと略称する）層は制御プレーンでのみ定義され、無線ベアラー（Ｒａｄｉｏ  Ｂｅａｒｅｒ；ＲＢと略称する）の設定（Ｃｏｎｆｉｇｕｒａｔｉｏｎ）、再設定（Ｒｅ−ｃｏｎｆｉｇｕｒａｔｉｏｎ）及び解除（Ｒｅｌｅａｓｅ）に関連して論理チャンネル、送信チャンネル及び物理チャンネルの制御を担う。この際、ＲＢは端末とＥ−ＵＴＲＡＮ間のデータ伝達のために第２層によって提供されるサービスを意味する。
【００６９】
前記端末のＲＲＣと無線網のＲＲＣ層の間にＲＲＣ接続（ＲＲＣ  ｃｏｎｎｅｃｔｉｏｎ）がある場合、端末はＲＲＣ接続状態（Ｃｏｎｎｅｃｔｅｄ  Ｍｏｄｅ）にあるようになり、そうでない場合はＲＲＣ遊休モード（Ｉｄｌｅ  ｍｏｄｅ）にあるようになる。
【００７０】
以下で端末のＲＲＣ状態（ＲＲＣ  ｓｔａｔｅ）とＲＲＣ接続方法について説明する。ＲＲＣ状態とは端末のＲＲＣがＥ−ＵＴＲＡＮのＲＲＣと論理的接続（ｌｏｇｉｃａｌ  ｃｏｎｎｅｃｔｉｏｎ）をなしているか否かを言い、接続されている場合はＲＲＣ＿ＣＯＮＮＥＣＴＥＤ状態（ｓｔａｔｅ）、接続されていない場合はＲＲＣ＿ＩＤＬＥ状態と言う。ＲＲＣ＿ＣＯＮＮＥＣＴＥＤ状態の端末はＲＲＣ接続が存在するから、Ｅ−ＵＴＲＡＮは該当端末の存在をセル単位で把握することができ、よって端末を効果的に制御することができる。一方、ＲＲＣ＿ＩＤＬＥ状態の端末はＥ−ＵＴＲＡＮが端末の存在を把握することはできなく、セルより大きな地域単位であるＴＡ（Ｔｒａｃｋｉｎｇ  Ａｒｅａ）単位で核心網が管理する。すなわち、ＲＲＣ＿ＩＤＬＥ状態の端末はセルに比べて大きな地域単位で該当端末の存否のみ把握され、音声又はデータのような通常の移動通信サービスを受けるためには、該当端末がＲＲＣ＿ＣＯＮＮＥＣＴＥＤ状態に遷移しなければならない。各ＴＡはＴＡＩ（Ｔｒａｃｋｉｎｇ  ａｒｅａ  ｉｄｅｎｔｉｔｙ）によって区分される。端末はセルで放送（ｂｒｏａｄｃａｓｔｉｎｇ）される情報であるＴＡＣ（Ｔｒａｃｋｉｎｇ  ａｒｅａ  ｃｏｄｅ）によってＴＡＩを構成することができる。
【００７１】
ユーザが端末の電源を最初に入れたとき、端末は先に適切なセルを探索した後、該当セルでＲＲＣ接続をなし、核心網に端末の情報を登録する。その後、端末はＲＲＣ＿ＩＤＬＥ状態に留まる。ＲＲＣ＿ＩＤＬＥ状態に留まる端末は必要によってセルを（再）選択し、システム情報（Ｓｙｓｔｅｍ  ｉｎｆｏｒｍａｔｉｏｎ）又はページング情報を調べる。これをセルにキャンプオン（Ｃａｍｐ  ｏｎ）すると言う。ＲＲＣ＿ＩＤＬＥ状態に留まっていた端末はＲＲＣ接続をなす必要があるときに初めてＲＲＣ接続過程（ＲＲＣ  ｃｏｎｎｅｃｔｉｏｎ  ｐｒｏｃｅｄｕｒｅ）によってＥ−ＵＴＲＡＮのＲＲＣとＲＲＣ接続をなし、ＲＲＣ＿ＣＯＮＮＥＣＴＥＤ状態に遷移する。ＲＲＣ＿ＩＤＬＥ状態にあった端末がＲＲＣ接続をなす必要がある場合は色々がある。例えば、ユーザの通話試行、データ送信試行、又はＥ−ＵＴＲＡＮからページングメッセージを受信した後、これに対する応答メッセージ送信などを挙げることができる。
【００７２】
前記ＲＲＣ層上に位置するＮＡＳ（Ｎｏｎ−Ａｃｃｅｓｓ  Ｓｔｒａｔｕｍ）層は接続管理（Ｓｅｓｓｉｏｎ  Ｍａｎａｇｅｍｅｎｔ）と移動性管理（Ｍｏｂｉｌｉｔｙ  Ｍａｎａｇｅｍｅｎｔ）などの機能を行う。
【００７３】
以下、図３に示したＮＡＳ層について詳細に説明する。
【００７４】
ＮＡＳ層に属するｅＳＭ（ｅｖｏｌｖｅｄ  Ｓｅｓｓｉｏｎ  Ｍａｎａｇｅｍｅｎｔ）はデフォルトベアラー（Ｄｅｆａｕｌｔ  Ｂｅａｒｅｒ）管理、専用ベアラー（Ｄｅｄｉｃａｔｅｄ  Ｂｅａｒｅｒ）管理のような機能を行い、端末が網からＰＳサービスを用いるための制御を担う。デフォルトベアラーリソースは特定のパケットデータネットワーク（Ｐａｃｋｅｔ  Ｄａｔａ  Ｎｅｔｗｏｒｋ；ＰＤＮ）に最初に接続するとき、網から割り当てられるという特徴を有する。この際、ネットワークは、端末がデータサービスを使えるように端末が使用可能なＩＰアドレスを割り当て、そしてデフォルトベアラーのＱｏＳを割り当てる。ＬＴＥでは、大別して、データ送受信のための特定の帯域幅を保証するＧＢＲ（Ｇｕａｒａｎｔｅｅｄ  ｂｉｔ  ｒａｔｅ）ＱｏＳ特性を有するベアラーと帯域幅の保証なしにＢｅｓｔ  ｅｆｆｏｒｔ  ＱｏＳ特性を有するＮｏｎ−ＧＢＲベアラーの２種を支援する。デフォルトベアラーの場合、Ｎｏｎ−ＧＢＲベアラーが割り当てられる。専用ベアラーの場合にはＧＢＲ又はＮｏｎ−ＧＢＲのＱｏＳ特性を有するベアラーが割り当てられることができる。
【００７５】
ネットワークで端末に割り当てたベアラーをＥＰＳ（ｅｖｏｌｖｅｄ  ｐａｃｋｅｔ  ｓｅｒｖｉｃｅ）ベアラーと言い、ＥＰＳベアラーを割り当てるとき、ネットワークは一つのＩＤを割り当てるようになる。これをＥＰＳベアラーＩＤと言う。一つのＥＰＳベアラーはＭＢＲ（ｍａｘｉｍｕｍ  ｂｉｔ  ｒａｔｅ）又は／及びＧＢＲ（Ｇｕａｒａｎｔｅｅｄ  ｂｉｔ  ｒａｔｅ）のＱｏＳ特性を有する。
【００７６】
図５は、３ＧＰＰ  ＬＴＥでのランダムアクセス過程を示したフローチャートである。
【００７７】
ランダムアクセス過程はＵＥが基地局に対するＵＬ同期を得るかＵＬ無線リソースを割り当てられるために用いられる。
【００７８】
ＵＥはルートインデックス（ｒｏｏｔ  ｉｎｄｅｘ）とＰＲＡＣＨ（ｐｈｙｓｉｃａｌ  ｒａｎｄｏｍ  ａｃｃｅｓｓ  ｃｈａｎｎｅｌ）設定インデックス（ｃｏｎｆｉｇｕｒａｔｉｏｎ  ｉｎｄｅｘ）をｅＮｏｄｅＢから受信する。各セルごとにＺＣ（Ｚａｄｏｆｆ−Ｃｈｕ）シーケンスによって定義される６４個の候補（ｃａｎｄｉｄａｔｅ）ランダムアクセスプリアンブルがあり、ルートインデックスは端末が６４個の候補ランダムアクセスプリアンブルを生成するための論理的インデックスである。
【００７９】
ランダムアクセスプリアンブルの送信は各セルごとに特定の時間及び周波数リソースに限定される。ＰＲＡＣＨ設定インデックスはランダムアクセスプリアンブルの送信が可能な特定のサブフレームとプリアンブルフォーマットを指示する。
【００８０】
ＵＥは任意に選択されたランダムアクセスプリアンブルをｅＮｏｄｅＢに送信する。ＵＥは６４個の候補ランダムアクセスプリアンブルのうち一つを選択する。そして、ＰＲＡＣＨ設定インデックスによって該当のサブフレームを選択する。ＵＥは選択されたランダムアクセスプリアンブルを選択されたサブフレームに送信する。
【００８１】
前記ランダムアクセスプリアンブルを受信したｅＮｏｄｅＢはランダムアクセス応答（ｒａｎｄｏｍ  ａｃｃｅｓｓ  ｒｅｓｐｏｎｓｅ、ＲＡＲ）をＵＥに送る。ランダムアクセス応答は２段階で検出される。まず、ＵＥはＲＡ−ＲＮＴＩ（ｒａｎｄｏｍ  ａｃｃｅｓｓ−ＲＮＴＩ）でマスキングされたＰＤＣＣＨを検出する。ＵＥは検出されたＰＤＣＣＨによって指示されるＰＤＳＣＨ上でＭＡＣ（Ｍｅｄｉｕｍ  Ａｃｃｅｓｓ  Ｃｏｎｔｒｏｌ）ＰＤＵ（Ｐｒｏｔｏｃｏｌ  Ｄａｔａ  Ｕｎｉｔ）内のランダムアクセス応答を受信する。
【００８２】
図６は、無線リソース制御（ＲＲＣ）層における接続過程を示す。
【００８３】
図６に示したように、ＲＲＣ接続の有無によってＲＲＣ状態が示されている。前記ＲＲＣ状態とは、ＵＥのＲＲＣ層のエンティティ（ｅｎｔｉｔｙ）がｅＮｏｄｅＢのＲＲＣ層のエンティティと論理的接続（ｌｏｇｉｃａｌ  ｃｏｎｎｅｃｔｉｏｎ）をなしているか否かを言い、接続されている場合はＲＲＣ接続状態（ｃｏｎｎｅｃｔｅｄ  ｓｔａｔｅ）と言い、接続されていない状態をＲＲＣ遊休モード（ｉｄｌｅ  ｓｔａｔｅ）と言う。
【００８４】
接続状態（Ｃｏｎｎｅｃｔｅｄ  ｓｔａｔｅ）のＵＥはＲＲＣ接続（ｃｏｎｎｅｃｔｉｏｎ）が存在するから、Ｅ−ＵＴＲＡＮは該当端末の存在をセル単位で把握することができ、よってＵＥを効果的に制御することができる。一方、遊休モード（ｉｄｌｅ  ｓｔａｔｅ）のＵＥはｅＮｏｄｅＢが把握することはできず、セルより大きな地域単位であるトラッキング地域（Ｔｒａｃｋｉｎｇ  Ａｒｅａ）単位で核心網（Ｃｏｒｅ  Ｎｅｔｗｏｒｋ）が管理する。前記トラッキング地域（Ｔｒａｃｋｉｎｇ  Ａｒｅａ）はセルの集合単位である。すなわち、遊休モード（ｉｄｌｅ  ｓｔａｔｅ）ＵＥは大きな地域単位で存否のみ把握され、音声やデータのような通常の移動通信サービスを受けるためには、端末は接続状態（ｃｏｎｎｅｃｔｅｄ  ｓｔａｔｅ）に遷移しなければならない。
【００８５】
ユーザがＵＥの電源を最初に入れたとき、前記ＵＥは先に適切なセルを探索した後、該当セルで遊休モード（ｉｄｌｅ  ｓｔａｔｅ）で留まる。前記遊休モード（ｉｄｌｅ  ｓｔａｔｅ）で留まっていたＵＥはＲＲＣ接続をなす必要があるときに初めてＲＲＣ接続過程（ＲＲＣ  ｃｏｎｎｅｃｔｉｏｎ  ｐｒｏｃｅｄｕｒｅ）によってｅＮｏｄｅＢのＲＲＣ層とのＲＲＣ接続をなし、ＲＲＣ接続状態（ｃｏｎｎｅｃｔｅｄ  ｓｔａｔｅ）に遷移する。
【００８６】
遊休モード（Ｉｄｌｅ  ｓｔａｔｅ）にあったＵＥがＲＲＣ接続をなす必要がある場合はいろいろある。例えば、ユーザの通話試行、データ送信、又はＥＵＴＲＡＮからページングメッセージを受信した後、これに対する応答メッセージの送信を挙げることができる。
【００８７】
遊休モード（ｉｄｌｅ  ｓｔａｔｅ）のＵＥが前記ｅＮｏｄｅＢとＲＲＣ接続をなすためには、前述したようにＲＲＣ接続過程（ＲＲＣ  ｃｏｎｎｅｃｔｉｏｎ  ｐｒｏｃｅｄｕｒｅ）を進行しなければならない。ＲＲＣ接続過程は、大別して、ＵＥがｅＮｏｄｅＢにＲＲＣ接続要求（ＲＲＣ  ｃｏｎｎｅｃｔｉｏｎ  ｒｅｑｕｅｓｔ）メッセージを送信する過程、ｅＮｏｄｅＢがＵＥにＲＲＣ接続設定（ＲＲＣ  ｃｏｎｎｅｃｔｉｏｎ  ｓｅｔｕｐ）メッセージを送信する過程、及びＵＥがｅＮｏｄｅＢにＲＲＣ接続設定完了（ＲＲＣ  ｃｏｎｎｅｃｔｉｏｎ  ｓｅｔｕｐ  ｃｏｍｐｌｅｔｅ）メッセージを送信する過程を含む。このような過程について図６を参照してより詳細に説明すると次のようである。
【００８８】
１）遊休モード（Ｉｄｌｅ  ｓｔａｔｅ）のＵＥは、通話試行、データ送信試行、又はｅＮｏｄｅＢのページングに対する応答などの理由でＲＲＣ接続をなそうとする場合、まずＲＲＣ接続要求（ＲＲＣ  ｃｏｎｎｅｃｔｉｏｎ  ｒｅｑｕｅｓｔ）メッセージをｅＮｏｄｅＢに送信する。
【００８９】
２）前記ＵＥからＲＲＣ接続要求メッセージを受信すれば、前記ｅＮＢは、無線リソースが十分な場合、前記ＵＥのＲＲＣ接続要求を受諾し、応答メッセージであるＲＲＣ接続設定（ＲＲＣ  ｃｏｎｎｅｃｔｉｏｎ  ｓｅｔｕｐ）メッセージを前記ＵＥに送信する。
【００９０】
３）前記ＵＥが前記ＲＲＣ接続設定メッセージを受信すれば、前記ｅＮｏｄｅＢにＲＲＣ接続設定完了（ＲＲＣ  ｃｏｎｎｅｃｔｉｏｎ  ｓｅｔｕｐ  ｃｏｍｐｌｅｔｅ）メッセージを送信する。前記ＵＥがＲＲＣ接続設定メッセージの送信に成功すれば、初めて前記ＵＥはｅＮｏｄｅＢとＲＲＣ接続をなし、ＲＲＣ接続モードに遷移する。
【００９１】
従来のＥＰＣにおけるＭＭＥは、次世代システム（Ｎｅｘｔ  Ｇｅｎｅｒａｔｉｏｎ  ｓｙｓｔｅｍ）（又は、５Ｇ  ＣＮ（Ｃｏｒｅ  Ｎｅｔｗｏｒｋ））では、ＡＭＦ（Ａｃｃｅｓｓ  ａｎｄ  Ｍｏｂｉｌｉｔｙ  Ｍａｎａｇｅｍｅｎｔ  Ｆｕｎｃｔｉｏｎ）とＳＭＦ（Ｓｅｓｓｉｏｎ  Ｍａｎａｇｅｍｅｎｔ  Ｆｕｎｃｔｉｏｎ）とに分けられた。ここで、ＵＥとのＮＡＳ  ｉｎｔｅｒａｃｔｉｏｎ及びＭＭ（Ｍｏｂｉｌｉｔｙ  Ｍａｎａｇｅｍｅｎｔ）はＡＭＦが、ＳＭ（Ｓｅｓｓｉｏｎ  Ｍａｎａｇｅｍｅｎｔ）はＳＭＦが行うことになる。また、ＳＭＦは、ユーザプレーン（ｕｓｅｒ−ｐｌａｎｅ）機能を有する、即ち、ユーザトラフィック（ｕｓｅｒ  ｔｒａｆｆｉｃ）をルーティングするゲートウェイであるＵＰＦ（Ｕｓｅｒ  Ｐｌａｎｅ  Ｆｕｎｃｔｉｏｎ）を管理するが、これは、従来のＥＰＣにおいてＳ−ＧＷとＰ−ＧＷの制御プレーン（ｃｏｎｔｒｏｌ−ｐｌａｎｅ）部分はＳＭＦが担当して、ユーザプレーン部分はＵＰＦが担当することとみなしてもよい。ユーザトラフィックのルーティングのために、ＲＡＮとＤＮ（Ｄａｔａ  Ｎｅｔｗｏｒｋ）との間にＵＰＦは１つ以上存在することができる。即ち、従来のＥＰＣは、５Ｇにおいて、図７に例示するように構成されてもよい。また、従来のＥＰＳにおけるＰＤＮ接続に対応する概念であって、５Ｇシステムでは、ＰＤＵ（Ｐｒｏｔｏｃｏｌ  Ｄａｔａ  Ｕｎｉｔ）セッションが定義された。ＰＤＵセッションは、ＩＰタイプのみならず、Ｅｔｈｅｒｎｅｔタイプ又はｕｎｓｔｒｕｃｔｕｒｅｄタイプのＰＤＵ  ｃｏｎｎｅｃｔｉｖｉｔｙ  ｓｅｒｖｉｃｅを提供するＵＥとＤＮとの組み合わせ（ａｓｓｏｃｉａｔｉｏｎ）を称する。その他、ＵＤＭ（Ｕｎｉｆｉｅｄ  Ｄａｔａ  Ｍａｎａｇｅｍｅｎｔ）は、ＥＰＣのＨＳＳに対応する機能を行い、ＰＣＦ（Ｐｏｌｉｃｙ  Ｃｏｎｔｒｏｌ  Ｆｕｎｃｔｉｏｎ）は、ＥＰＣのＰＣＲＦに対応する機能を行う。もちろん、５Ｇシステムの要求事項を満たすために、その機能が拡張された形態で提供されることができる。５Ｇシステムアーキテクチャー、各ファンクション、各インターフェースに対する詳細な事項は、ＴＳ  ２３．５０１を準用する。本発明の全般にわたって、５ＧとＮｅｘｔＧｅｎが混用される。また、レファレンスポイント（ｒｅｆｅｒｅｎｃｅ  ｐｏｉｎｔ）の場合、ＮＧｘ（ここで、ｘは数字）とＮｘが混用される。例えば、ＮＧ１とＮ１は同一のレファレンスポイントを意味する。また、アクセス、アクセスネットワーク、ネットワークアクセスが互いに混用される。例えば、３ＧＰＰアクセス、３ＧＰＰアクセスネットワーク、３ＧＰＰネットワークアクセスは同一のものとみなす。
【００９２】
共通ＡＮ−ＣＮ（Ａｃｃｅｓｓ  Ｎｅｔｗｏｒｋ−Ｃｏｒｅ  Ｎｅｔｗｏｒｋ）インターフェースに関連して、Ｎｏｎ−３ＧＰＰアクセスは、ＮｅｘｔＧｅｎ  ＲＡＮ（ｎｏｎ−ｓｔａｎｄａｌｏｎｅ  ｎｏｎ−３ＧＰＰ  ａｃｃｅｓｓｅｓ）に内蔵（ｅｍｂｅｄｄｅｄ）されてもよく、ＮｅｘｔＧｅｎ  ＲＡＮ（ｓｔａｎｄａｌｏｎｅ  ｎｏｎ−３ＧＰＰ  ａｃｃｅｓｓｅｓ）外部に配置されてもよい。Ｓｔａｎｄａｌｏｎｅ  Ｎｏｎ−３ＧＰＰアクセスは、ｔｒｕｓｔｅｄ  Ｎｏｎ−３ＧＰＰアクセスとｕｎｔｒｕｓｔｅｄ  Ｎｏｎ−３ＧＰＰアクセスをいずれも支援することができる。しかし、３ＧＰＰ  Ｒｅｌｅａｓｅ  １５では、ｕｎｔｒｕｓｔｅｄ  Ｎｏｎ−３ＧＰＰアクセスのみが考慮される。Ｔｒｕｓｔｅｄ  Ｎｏｎ−３ＧＰＰアクセスは、今後のｒｅｌｅａｓｅで考慮されてもよい。ＮＧ２（図７では、Ｎ２と示す）／ＮＧ３（図７では、Ｎ３と示す）インターフェースは、ｓｔａｎｄａｌｏｎｅ  Ｎｏｎ−３ＧＰＰアクセスをＣＰ（Ｃｏｎｔｒｏｌ  Ｐｌａｎｅ）機能及びＵＰ（Ｕｓｅｒ  Ｐｌａｎｅ）機能のそれぞれに接続するのに用いられる。Ｎｏｎ−３ＧＰＰアクセスを通じてＮｅｘｔＧｅｎ  ＣＮにアクセスするＵＥが３ＧＰＰ  ＮｅｘｔＧｅｎ  ＮＡＳ信号を用いると仮定する。Ｓｔａｎｄａｌｏｎｅ  ｕｎｔｒｕｓｔｅｄ  Ｎｏｎ−３ＧＰＰアクセスには、図８に示すような高レベルアーキテクチャー（Ｈｉｇｈ−ｌｅｖｅｌ  ａｒｃｈｉｔｅｃｔｕｒｅ）が用いられる。Ｕｎｔｒｕｓｔｅｄ  Ｎｏｎ−３ＧＰＰアクセスに関連して、ａ）ＵＥはＴＳ  ２３．４０２のｅＰＤＧ選択と類似した手順でＮ３ＩＷＦを発見して選択することができ、ｂ）ＵＥはＩＫＥｖ２を用いて選択されたＮ３ＩＷＦとＩＰｓｅｃトンネルを設定して、このＩＰｓｅｃトンネル設定中にＵＥはＮＧ２によってＮｅｘｔＧｅｎ  ＣＮに認証され、ｃ）認証の後、ＮＡＳメッセージは、設定されたＩＰｓｅｃトンネルを通じて、またＮＧ２を通じてＵＥとＣＰ機能の間で交換され、Ｎ３ＩＷＦはＮＧ２を通じてＮＡＳメッセージを透明に（ｔｒａｎｓｐａｒｅｎｔｌｙ）伝達して、ｄ）ＩＫＥｖ２とＩＰｓｅｃは、ＵＥとＮ３ＩＷＦとの間のインターフェースで用いられるが、必要に応じて、更なるプロトコルが明示されてもよく、ｅ）ＵＥが有するＰＤＵセッションの数には関係なく、ＵＥとＮ３ＩＷＦとの間にただ１つのＩＫＥセキュリティ関係のみ存在することができる。
【００９３】
ＮＧ−ＣＰ（ＮｅｘｔＧｅｎ  Ｃｏｒｅ−Ｃｏｎｔｒｏｌ  Ｐｌａｎｅ）機能に関連して、ＮＲＦ（ＮＦ  Ｒｅｐｏｓｉｔｏｒｙ  Ｆｕｎｃｔｉｏｎ）はピア（ｐｅｅｒ）ＮＧ−ＣＰ  ＮＦを発見して、互いに通信できるように、ＮＦ登録及び検索の機能を提供する。ＡＭＦ（Ａｃｃｅｓｓ  ａｎｄ  Ｍｏｂｉｌｉｔｙ  Ｍａｎａｇｅｍｅｎｔ  Ｆｕｎｃｔｉｏｎ）は、ＵＥネットワークアクセス制御、ＵＥ位置管理及びＵＥ到達可能性（ｒｅａｃｈａｂｉｌｉｔｙ）管理を含むＵＥレベルアクセス及び移動性管理を処理する。また、ＵＥが３ＧＰＰアクセス及びｎｏｎ−３ＧＰＰアクセスを含む多重アクセスタイプによってネットワークにアクセスすることを支援する。ＡＭＦは、ＮＧ１レファレンスポイントとＮＧ２レファレンスポイントの終端である。ＳＭＦ（Ｓｅｓｓｉｏｎ  Ｍａｎａｇｅｍｅｎｔ  Ｆｕｎｃｔｉｏｎ）はＵＥ  ＩＰアドレス割り当て、ユーザプレーン機能選択及び制御などを支援する。また、ＱｏＳ関連規則及びセッション関連課金及び合法的な遮断のような制御部分で構成できる。ＳＭＦは、ＮＧ４によってＮＧユーザプレーンの機能を制御する。ＰＣＦ（Ｐｏｌｉｃｙ  Ｃｏｎｔｒｏｌ  Ｆｕｎｃｔｉｏｎ）は、ＳＭＦ、ＡＭＦのような他のＮＧ−ＣＰ機能と相互作用して動的ポリシー（ＱｏＳ適用、課金、アクセス制御、トラフィックルーティングなど）を提供する。その他に、ＮＥＦ（Ｎｅｔｗｏｒｋ  Ｃａｐａｂｉｌｉｔｙ  Ｅｘｐｏｓｕｒｅ  Ｆｕｎｃｔｉｏｎ）などがある。
【００９４】
図９には、Ｎｏｎ−Ｒｏａｍｉｎｇ  ＮｅｘｔＧｅｎ  Ａｒｃｈｉｔｅｃｔｕｒｅが示されている。図９では、以下のようなレファレンスポイント及びインターフェースが定義される。ＮＧ１は、ＮＧ  ＵＥとＡＭＦとの間の制御プレーンに対するレファレンスポイントであり、ＮＧ２は、ＮＧ−（Ｒ）ＡＮとＡＭＦとの間の制御プレーンに対するレファレンスポイントであり、ＮＧ３は、ＮＧ−（Ｒ）ＡＮとＮＧ−ＵＰとの間のユーザプレーンに対するレファレンスポイントである。また、ＮＧ４は、ＳＭＦとＮＧ−ＵＰ機能との間のレファレンスポイントであり、ＮＧ５は、ＰＣＦと応用機能（Ａｐｐｌｉｃａｔｉｏｎ  Ｆｕｎｃｔｉｏｎ）との間のレファレンスポイントであり、ＮＧ６は、ＮＧ−ＵＰとデータネットワークとの間のレファレンスポイントである。データネットワークは、移動通信事業者外部の共用又は私設データネットワーク、又は移動通信事業者データネットワークであってもよい。ＮＧ７は、ＮＧ−ＣＰ機能とＮＧ統合データ管理（ＵＤＭ）との間のレファレンスポイントであり、サービスベースのインターフェースは、ＡＭＦ、ＳＭＦ、ＰＣＦ、ＮＲＦ、ＮＥＦのようなＮＧ−ＣＰ機能（他のＮＧ−ＣＰ機能によってサービスを呼び出すことができる）に露出されたとみなす必要がある。図９を参照すれば、ＵＤＭは、ＵＥ関連データ、例えば、加入、ポリシー（例えば、ＱｏＳ及び課金）を記憶して、ＮＧ−ＵＰ（ＮＧ  Ｃｏｒｅ  Ｕｓｅｒ  Ｐｌａｎｅ）は、相互接続の外部ＰＤＵセッションポイント（例えば、ＩＰ）、パケットルーティング及び伝達、トラフィック処理（例えば、ＱｏＳ適用）、イントラ／インター（Ｉｎｔｒａ／Ｉｎｔｅｒ−ＲＡＴ）移動性のためのアンカーポイント（適用可能な場合）、パケット検査、合法的なインターセプト（ＵＰ収集）などの様々な作業と機能を支援する一般的なユーザプレーン機能である。一方、複数のＮＧ−ＵＰ機能を１つのＰＤＵセッションの提供に用いることもでききる。
【００９５】
図１０には、登録手順（Ｒｅｇｉｓｔｒａｔｉｏｎ  ｐｒｏｃｅｄｕｒｅｓ）が示されている。ＵＥは、移動性トラッキング（ｍｏｂｉｌｉｔｙ  ｔｒａｃｋｉｎｇ）、到達可能性（ｒｅａｃｈａｂｉｌｉｔｙ）のために、サービスを受信するための承認（ａｕｔｈｏｒｉｚａｔｉｏｎ）を得るためにネットワークに登録する必要がある。登録手順は、ＵＥが５Ｇシステムに対する初期登録（これは、アタッチ（ａｔｔａｃｈ）動作と解釈できる）を行う必要があるとき、遊休モードにおいてＵＥの登録領域外部の新たなトラッキング領域（ＴＡ）への変更による移動性登録アップデートの際、（予め設定されたｉｎａｃｔｉｖｉｔｙ区間による）周期的な登録アップデートを行うとき、ＵＥが能力（ｃａｐａｂｉｌｉｔｉｅｓ）をアップデートする必要があるか、又は登録手順で協議されたプロトコルパラメータをアップデートする必要があるときに行われることができる。初期登録の間に、Ｐｅｒｍａｎｅｎｔ  Ｅｑｕｉｐｍｅｎｔ  ＩｄｅｎｔｉｆｉｅｒはＵＥから獲得される。ＡＭＦオペレーターはＥＩＲ（Ｅｑｕｉｐｍｅｎｔ  Ｉｄｅｎｔｉｔｙ  Ｒｅｇｉｓｔｅｒ）でＰＥＩを確認することができる。ＡＭＦはＰＥＩ（ＩＭＥＩＳＶ）をＵＤＭ、ＳＭＦ及びＰＣＦへ伝達する。
【００９６】
図１０を参照して、登録手順について説明すると、ステップＳ１００１において、ＵＥで（Ｒ）ＡＮにＡＮメッセージ（ＡＮ  ｐａｒａｍｅｔｅｒｓ、Ｒｅｇｉｓｔｒａｔｉｏｎ  Ｒｅｑｕｅｓｔ（Ｒｅｇｉｓｔｒａｔｉｏｎ  ｔｙｐｅ、ＳＵＰＩ（Ｓｕｂｓｃｒｉｂｅｒ／Ｓｕｂｓｃｒｉｐｔｉｏｎ  Ｐｅｒｍａｎｅｎｔ  Ｉｄｅｎｔｉｆｉｅｒ、加入者永久識別子）ｏｒ  Ｔｅｍｐｏｒａｒｙ  Ｕｓｅｒ  ＩＤ、Ｓｅｃｕｒｉｔｙ  ｐａｒａｍｅｔｅｒｓ、ＮＳＳＡＩ、ＵＥ  ５ＧＣＮ  Ｃａｐａｂｉｌｉｔｙ、ＰＤＵ  ｓｅｓｓｉｏｎ  ｓｔａｔｕｓ  ａｎｄ  ＭＩＣＯ  ｍｏｄｅ  ｐｒｅｆｅｒｅｎｃｅ））が送信される。５Ｇ−ＲＡＮの場合、ＡＮパラメータは、ＳＵＰＩ又は仮ユーザＩＤ、選択されたネットワーク及びＮＳＳＡＩなどを含む。
【００９７】
登録タイプ（Ｒｅｇｉｓｔｒａｔｉｏｎ  ｔｙｐｅ）は、ＵＥが初期登録（即ち、ＵＥが非登録状態にある。ここで、アタッチ（ａｔｔａｃｈ）動作）、移動性登録アップデート（即ち、ＵＥが登録状態にあり、移動性によって登録手順を開始する）又は周期的な登録アップデート（即ち、ＵＥは、登録状態にあり、周期的なアップデートタイマーの満了によって登録手順を開始するなどがある。もし含まれる場合、仮ユーザＩＤ（Ｔｅｍｐｏｒａｒｙ  Ｕｓｅｒ  ＩＤ）は、最後のサービングＡＭＦを示す。ＵＥが３ＧＰＰアクセスのＰＬＭＮとは異なるＰＬＭＮにおいてｎｏｎ−３ＧＰＰアクセスを通じて既に登録された場合、ＵＥはｎｏｎ−３ＧＰＰアクセスを通じた登録手順の間に、ＡＭＦによって割り当てられたＵＥ仮ＩＤを登録要求（Ｒｅｇｉｓｔｒａｔｉｏｎ  Ｒｅｑｕｅｓｔ）送信のときに提供しないことが必要である。セキュリティ媒介変数（Ｓｅｃｕｒｉｔｙ  ｐａｒａｍｅｔｅｒｓ）は、認証及び完全性の保護に用いられる。ＮＳＳＡＩは、Ｎｅｔｗｏｒｋ  Ｓｌｉｃｅ  Ｓｅｌｅｃｔｉｏｎ  Ａｓｓｉｓｔａｎｃｅ  Ｉｎｆｏｒｍａｔｉｏｎをいう（ＴＳ  ２３．５０１の５．１５に定義）。ＰＤＵセッション状態は、ＵＥで使用可能な（以前に設定された）ＰＤＵセッションを示す。
【００９８】
ステップＳ１００２において、ＳＵＰＩが含まれるか、仮ユーザＩＤが有効なＡＭＦを示さない場合、（Ｒ）ＡＴ及びＮＳＳＡＩに基づいてＡＭＦが選択される。（Ｒ）ＡＮは、ＴＳ  ２３．５０１に従ってＡＭＦを選択する。（Ｒ）ＡＮが適切なＡＭＦが選択できない場合、ローカルポリシーに従って選択されたＡＭＦで登録要求を送信する。選択されたＡＭＦがＵＥにサービスできない場合、選択されたＡＭＦは、ＵＥに対する適切なＡＭＦを選択する。基本ＡＭＦと選択されたＡＭＦとの間の再配置は、ＴＳ  ２３．５０２  ４．２．２．２．３に説明されており、初期ＡＭＦは基本ＡＭＦを参照して、対象ＡＭＦは選択されたＡＭＦを参照する。
【００９９】
ステップＳ１００３において、（Ｒ）ＡＮにおいて、ｎｅｗ  ＡＭＦでＮ２メッセージ（Ｎ２媒介変数、登録要求（登録タイプ、加入者永久識別子、又は仮ユーザＩＤ、セキュリティ媒介変数、ＮＳＳＡＩ及びＭＩＣＯ  ｍｏｄｅ  ｐｒｅｆｅｒｅｎｃｅ））が送信される。５Ｇ−ＲＡＮが用いられるとき、Ｎ２パラメータはＵＥがキャンピングしているセルに関連した位置情報、セル識別子及びＲＡＴタイプを含む。ＵＥによって表示された登録タイプが周期的な登録更新である場合、ステップＳ１００４乃至ステップＳ１０１７は省略してもよい。
【０１００】
ステップＳ１００４において、（条件付き）ｎｅｗ  ＡＭＦでｏｌｄ  ＡＭＦに情報要求、即ち、Ｉｎｆｏｒｍａｔｉｏｎ  Ｒｅｑｕｅｓｔ（完全な登録要求（Ｒｅｇｉｓｔｒａｔｉｏｎ  Ｒｅｑｕｅｓｔ））が送信される。ＵＥの仮ユーザＩＤが登録要求に含まれ、サービングＡＭＦが最後の登録以後に変更された場合、ｎｅｗ  ＡＭＦはＵＥのＳＵＰＩ及びＭＭコンテキストを要求するために、完全な登録要求ＩＥを含む情報要求をｏｌｄ  ＡＭＦに送信することができる。
【０１０１】
ステップＳ１００５において、（条件付き）ｏｌｄ  ＡＭＦでｎｅｗ  ＡＭＦに情報応答、即ち、Ｉｎｆｏｒｍａｔｉｏｎ  Ｒｅｓｐｏｎｓｅ（ＳＵＰＩ、ＭＭコンテキスト、ＳＭＦ情報）が送信される。ｏｌｄ  ＡＭＦは、ＵＥのＳＵＰＩ及びＭＭコンテキストを含む情報応答でｎｅｗ  ＡＭＦに応答する。以前のＡＭＦに活性ＰＤＵセッションに対する情報がある場合、ｏｌｄ  ＡＭＦはＳＭＦ  ＩＤ及びＰＤＵセッションＩＤが含まれたＳＭＦ情報を含ませる。
【０１０２】
ステップＳ１００６において、（条件付き）ｎｅｗ  ＡＭＦでＵＥに身元要求、即ち、Ｉｄｅｎｔｉｔｙ  Ｒｅｑｕｅｓｔ（）が送信される。ＳＵＰＩがＵＥによって提供されないか、ｏｌｄ  ＡＭＦから検索されない場合、身元要求手順は、ＡＭＦが身元要求メッセージをＵＥに送信することで開始される。
【０１０３】
ステップＳ１００７において、（条件付き）ＵＥがｎｅｗ  ＡＭＦに身元応答（Ｉｄｅｎｔｉｔｙ  Ｒｅｓｐｏｎｓｅ）（）を送信する。即ち、ＵＥはＳＵＰＩを含む身元応答メッセージで応答する。
【０１０４】
ステップ１００８において、ＡＭＦはＡＵＳＦ（Ａｕｔｈｅｎｔｉｃａｔｉｏｎ  Ｓｅｒｖｅｒ  Ｆｕｎｃｔｉｏｎ）をインヴォーク（ｉｎｖｏｋｅ）することを決定できる。この場合、ＡＭＦはＳＵＰＩに基づいてＴＳ  ２３．５０１に従ってＡＵＳＦを選択する必要がある。
【０１０５】
ステップＳ１００９において、ＡＵＳＦはＵＥ及びＮＡＳセキュリティ機能の認証を開始する必要がある。
【０１０６】
ステップＳ１０１０において、（条件付き）ｎｅｗ  ＡＭＦでｏｌｄ  ＡＭＦにＩｎｆｏｒｍａｔｉｏｎ  Ａｃｋｎｏｗｌｅｄｇｅｄ（）が送信される。ＡＭＦが変更された場合、ｎｅｗ  ＡＭＦは、ＵＥ  ＭＭコンテキストの伝達を確認応答する。認証／セキュリティ手順が失敗する場合、登録は拒絶され、ｎｅｗ  ＡＭＦはｏｌｄ  ＡＭＦに拒絶表示を送信する。Ｏｌｄ  ＡＭＦは情報要求が受信されなかったように続けられる。
【０１０７】
ステップＳ１０１１において、（条件付き）ｎｅｗ  ＡＭＦでＵＥにＩｄｅｎｔｉｔｙ  Ｒｅｑｕｅｓｔ（）が送信される。ＰＥＩ（Ｐｅｒｍａｎｅｎｔ  Ｅｑｕｉｐｍｅｎｔ  Ｉｄｅｎｔｉｆｉｅｒ）がＵＥによって提供されないか、ｏｌｄ  ＡＭＦから検索されない場合、身元要求手順は、ＡＭＦがＰＥＩを検索するために身元要求メッセージをＵＥに送信することで開始される。
【０１０８】
ステップＳ１０１２において、ｎｅｗ  ＡＭＦはＭＥ確認を開始する（選択事項）。ＰＥＩ点検は、ＴＳ  ２３．５０２の４．７に従って行われる。
【０１０９】
ステップＳ１０１３において、ステップＳ１０１４が行われる場合、ＳＵＰＩに基づいてｎｅｗ  ＡＭＦがＵＤＭを選択する。ＡＭＦは、ＴＳ  ２３．５０１に従ってＵＤＭを選択する。
【０１１０】
ステップＳ１０１４において、最後の登録以後にＡＭＦが変更されたり、ＡＭＦにおいてＵＥに対する有効な加入コンテキストがなかったり、ＵＥがＡＭＦにおいて有効なコンテキストを参照しないＳＵＰＩを提供したりする場合、ｎｅｗ  ＡＭＦはアップデート位置手順をＵＤＭで開始する。ここでは、ＵＤＭがｏｌｄ  ＡＭＦに位置取消しを開始する動作を含む。
【０１１１】
ステップＳ１０１５において、条件付きでｎｅｗ  ＡＭＦはＳＵＰＩに基づいてＰＣＦを選択する。ＡＭＦはＴＳ  ２３．５０１に従ってＰＣＦを選択する。
【０１１２】
ステップＳ１０１６において、（選択事項）ｎｅｗ  ＡＭＦでＰＣＦにＵＥＣｏｎｔｅｘｔ  Ｅｓｔａｂｌｉｓｈｍｅｎｔ  Ｒｅｑｕｅｓｔ（）が送信される。ＡＭＦはＰＣＦにＵＥに対する運営者ポリシーを適用することを要求する。
【０１１３】
ステップＳ１０１７において、ＰＣＦでｎｅｗ  ＡＭＦにＵＥ  Ｃｏｎｔｅｘｔ  Ｅｓｔａｂｌｉｓｈｍｅｎｔ  Ａｃｋｎｏｗｌｅｄｇｅｄ（）が送信される。即ち、ＰＣＦはＵＥ  Ｃｏｎｔｅｘｔ  Ｅｓｔａｂｌｉｓｈｍｅｎｔ  Ｒｅｑｕｅｓｔメッセージを確認応答する。
【０１１４】
ステップＳ１０１８において、（条件付き）ｎｅｗ  ＡＭＦでＳＭＦにＮ１１  Ｒｅｑｕｅｓｔ（）が送信される。ＡＭＦが変更される場合、ｎｅｗ  ＡＭＦは各ＳＭＦにＵＥをサービスするｎｅｗ  ＡＭＦを通知する。ＡＭＦは使用可能なＳＭＦ情報でＵＥからのＰＤＵセッション状態を検証する。ＡＭＦが変更された場合、使用可能なＳＭＦ情報が以前のＡＭＦから受信される。ｎｅｗ  ＡＭＦはＵＥで活性化されないＰＤＵセッションと関連するネットワークリソースを解除するようにＳＭＦに要求する。
【０１１５】
ステップＳ１０１９において、ＳＭＦでｎｅｗ  ＡＭＦにＮ１１  Ｒｅｓｐｏｎｓｅ（）が送信される。ＳＭＦは、例えば、ＵＰＦ再配置をトリガすることを決定できる。ＵＥによって表示された登録タイプが周期的な登録更新である場合、ステップＳ１０２０及びＳ１０２１は省略してもよい。
【０１１６】
ステップＳ１０２０において、（条件付き）ｏｌｄ  ＡＭＦでＰＣＦにＵＥ  Ｃｏｎｔｅｘｔ  Ｔｅｒｍｉｎａｔｉｏｎ  Ｒｅｑｕｅｓｔ（）が送信される。以前のＡＭＦが、ＵＥコンテキストがＰＣＦで予め設定されるように要求した場合、ｏｌｄ  ＡＭＦはＰＣＦでＵＥコンテキストを終了する。
【０１１７】
ステップＳ１０２１において、ＰＣＦでｏｌｄ  ＡＭＦにＵＥ  Ｃｏｎｔｅｘｔ  Ｔｅｒｍｉｎａｔｉｏｎ  Ａｃｋｎｏｗｌｅｄｇｅｄ（）が送信される。
【０１１８】
ステップＳ１０２２において、ｎｅｗ  ＡＭＦでＵＥに登録受諾、即ち、Ｒｅｇｉｓｔｒａｔｉｏｎ  Ａｃｃｅｐｔ（Ｔｅｍｐｏｒａｒｙ  Ｕｓｅｒ  ＩＤ、Ｒｅｇｉｓｔｒａｔｉｏｎ  ａｒｅａ、Ｍｏｂｉｌｉｔｙ  ｒｅｓｔｒｉｃｔｉｏｎｓ、ＰＤＵ  ｓｅｓｓｉｏｎ  ｓｔａｔｕｓ、ＮＳＳＡＩ、Ｐｅｒｉｏｄｉｃ  ｒｅｇｉｓｔｒａｔｉｏｎ  ｕｐｄａｔｅ  ｔｉｍｅｒ、ＬＡＤＮ  Ｉｎｆｏｒｍａｔｉｏｎ  ａｎｄ  ａｃｃｅｐｔｅｄ  ＭＩＣＯ  ｍｏｄｅ）が送信される。ＡＭＦが新たな仮ユーザＩＤを割り当てる場合、仮ユーザＩＤが含まれる。移動性制限がＵＥに適用される場合、移動性制限（Ｍｏｂｉｌｉｔｙ  ｒｅｓｔｒｉｃｔｉｏｎｓ）が含まれる。ＡＭＦはＵＥに対するＰＤＵセッション状態（ＰＤＵ  ｓｅｓｓｉｏｎ  ｓｔａｔｕｓ）を示す。ＵＥは受信されたＰＤＵセッション状態で活性と表示されないＰＤＵセッションと関連した任意の内部リソースを除去する。ＰＤＵセッション状態情報が登録要求（Ｒｅｇｉｓｔｒａｔｉｏｎ  Ｒｅｑｕｅｓｔ）に存在する場合、ＡＭＦはＵＥにＰＤＵセッション状態を表示しなければならない。ＮＳＳＡＩは許容されたＳ−ＮＳＳＡＩ（Ｓｉｎｇｌｅ  Ｎｅｔｗｏｒｋ  Ｓｌｉｃｅ  Ｓｅｌｅｃｔｉｏｎ  Ａｓｓｉｓｔａｎｃｅ  Ｉｎｆｏｒｍａｔｉｏｎ）を含む。ＵＥ加入データが加入されたＬＡＤＮ（Ｌｏｃａｌ  Ａｒｅａ  Ｄａｔａ  Ｎｅｔｗｏｒｋ）識別情報を含む場合、ＡＭＦは登録受諾メッセージにＡＭＦによって決定された登録領域内において利用可能なＴＳ  ２３．５０１  ５．６．５に定義されたＬＡＤＮに対するＬＡＤＮ情報を含む必要がある。ＵＥが要求にＭＩＣＯ（Ｍｏｂｉｌｅ  Ｉｎｉｔｉａｔｅｄ  Ｃｏｎｎｅｃｔｉｏｎ  Ｏｎｌｙ）モードを含む場合、ＡＭＦはＭＩＣＯモードを使用するか否かについて応答する。
【０１１９】
ステップＳ１０２３において、（条件付き）ＵＥでｎｅｗ  ＡＭＦにＲｅｇｉｓｔｒａｔｉｏｎ  Ｃｏｍｐｌｅｔｅ（）が送信される。ＵＥは新たな仮ユーザＩＤが割り当てられた場合、これを確認するために、ＡＭＦにＲｅｇｉｓｔｒａｔｉｏｎ  Ｃｏｍｐｌｅｔｅメッセージを送信する。
【０１２０】
以下、３ＧＰＰ次世代システム（Ｎｅｘｔ  Ｇｅｎｅｒａｔｉｏｎ  ｓｙｓｔｅｍ）（ＮＧＳ又はＮＧシステム：次世代、いわゆる、５Ｇ移動通信システム）において、ＵＥが３ＧＰＰアクセスとｎｏｎ−３ＧＰＰアクセス（代表的には、ＷＬＡＮアクセスであって、ｔｒｕｓｔｅｄ  ＷＬＡＮとｕｎｔｒｕｓｔｅｄ  ＷＬＡＮとを含む）を通じてアタッチするとき、これを効率的に処理する方法について説明する。
【０１２１】
図１１には、ＥＰＳ内におけるｎｏｎ  ｒｏａｍｉｎｇ構造が示されている。図１１に示されるように、ＷＬＡＮアクセスを通じてＥＰＣに接続される場合、３ＧＰＰアクセスを通じてＥＰＣに接続されることと比較して、ＮＡＳ  ＭＭ手順がなく、これにＭＭコンテキストを管理するネットワークファンクションが存在しない。しかし、ＷＬＡＮアクセスを通じてＮＧコアネットワークに接続される場合、ＵＥとコアネットワークがＮＡＳアタッチ手順を行うだけではなく、これにＡＭＦがＷＬＡＮアクセスに対してＵＥのＭＭコンテキストを管理／維持する必要がある。
【０１２２】
図１２は、ＵＥがＷＬＡＮアクセスのようなｎｏｎ−３ＧＰＰアクセスと３ＧＰＰアクセスを通じてＮＧコアネットワークに接続される場合の様々なシナリオを示す。
【０１２３】
図１２（ａ）は、ＵＥがローミングしない場合であって、Ｈｏｍｅ  ＰＬＭＮにおいて３ＧＰＰアクセスとｎｏｎ−３ＧＰＰアクセスを通じてＮＧコアネットワークに接続された場合である。図１２（ｂ）は、ＵＥがローミングした場合であって、同一のＶｉｓｉｔｅｄ  ＰＬＭＮに属する３ＧＰＰアクセスとｎｏｎ−３ＧＰＰアクセス（これは、Ｎ３ＩＷＦを意味してもよい）を通じてＮＧコアネットワークに接続された場合である。図１２（ｃ）は、ＵＥがローミングした場合であって、Ｖｉｓｉｔｅｄ  ＰＬＭＮ＃１に属する３ＧＰＰアクセスを通じてＮＧコアネットワークに接続された同時に、Ｖｉｓｉｔｅｄ  ＰＬＭＮ＃２に属するｎｏｎ−３ＧＰＰアクセス（これは、Ｎ３ＩＷＦを意味してもよい）を通じてＮＧコアネットワークに接続された場合である。また、Ｖｉｓｉｔｅｄ  ＰＬＭＮに属する３ＧＰＰアクセスを通じてＮＧコアネットワークに接続されると同時に、Ｈｏｍｅ  ＰＬＭＮに属するｎｏｎ−３ＧＰＰアクセス（これは、Ｎ３ＩＷＦを意味してもよい）を通じてＮＧコアネットワークに接続された場合である。この場合、互いに異なるＰＬＭＮに属するアクセスを通じてＮＧコアネットワークに接続されるため、接続されるＮＧコアネットワークが２つであり、各アクセスに対してＵＥをサービングするＡＭＦが別に存在する。
【０１２４】
特に、ＵＥが同時に３ＧＰＰアクセスとＷＬＡＮアクセスを通じてＮＧコアネットワークに接続される場合、統合的な認証、移動性管理（ｍｏｂｉｌｉｔｙ  ｍａｎａｇｅｍｅｎｔ）、セッション管理（ｓｅｓｓｉｏｎ  ｍａｎａｇｅｍｅｎｔ）などのために、アクセスタイプには関係なく同一の、即ち、１つのＡＭＦからサービスされることが効率的である。
【０１２５】
仮に、ＵＥが一方のアクセスを通じてＮＧコアに接続（又は、アタッチ或いは認証）を行っていて、他方のアクセスを通じてＮＧコアへの接続（又は、アタッチ或いは認証）を行う場合には、様々な理由によって、同一のＡＭＦが割り当て／指定されないという問題が生じ得る。例えば、ＵＥが第１のアクセスを通じてＮＧコアに接続（又は、アタッチ或いは認証）を行っていて、未だＡＭＦの確定されていない状態で、ＵＥが第２のアクセスを通じてＮＧコアに接続（又は、アタッチ或いは認証）を開始する場合、２つのアクセスに対して互いに異なるＡＭＦが割り当て／指定される可能性がある。別の例として、ＵＥが第１のアクセスを通じてＮＧコアに接続（又は、アタッチ或いは認証）を行っていて、ＡＭＦに対する情報を管理／維持するＤＢ（これは、ＨＳＳ、ＵＤＭ（Ｕｓｅｒ  Ｄａｔａ  Ｍａｎａｇｅｍｅｎｔ）、ＵＤＲ（Ｕｓｅｒ  Ｄａｔａ  Ｒｅｐｏｓｉｔｏｒｙ）、Ｓｔａｔｅ  ＤＢなど様々な名称で呼ばれてもよい）で未だＡＭＦに対する情報がアップデートされていない状態で、ＵＥが第２のアクセスを通じてＮＧコアに接続（又は、アタッチ或いは認証）を開始する場合、２つのアクセスに対して互いに異なるＡＭＦが割り当て／指定される可能性がある。
【０１２６】
よって、以下の本発明の実施例では、ＵＥが３ＧＰＰアクセス及びｎｏｎ−３ＧＰＰアクセスを通じてＮＧコアネットワークに接続される場合、同一のＡＭＦからサービングされるようにする方法について説明する。これは、３ＧＰＰアクセスとｎｏｎ−３ＧＰＰアクセスを通じてＮＧコアネットワークに接続されるＵＥとやりとりするＮＡＳメッセージをＮＡＳメッセージがいずれのアクセスで送信されても、同一のＡＭＦが処理できるようにする方法とも解釈できる。
【０１２７】
実施例
【０１２８】
本発明の一実施例によるＵＥは、ＵＥが第１のネットワークアクセスを通じて登録を行い、第２のネットワークアクセスを通じて登録を行うことができる。ここで、第１のネットワークアクセスと第２のネットワークアクセスとが同一のＰＬＭＮ（Ｐｕｂｌｉｃ  Ｌａｎｄ  Ｍｏｂｉｌｅ  Ｎｅｔｗｏｒｋ）に属する場合、ＵＥは、必ず、第１のネットワークアクセスを通じた登録手順が終了した後、第２のネットワークアクセスを通じた登録を開始／スタートする必要がある。換言すれば、第１のネットワークアクセスと第２のネットワークアクセスとが同一のＰＬＭＮに属する場合、ＵＥは第１のネットワークアクセスを通じた登録手順が終了されるまでは、第２のネットワークアクセスを通じた登録を開始／スタートしない。或いは、第１のネットワークアクセスと第２のネットワークアクセスとが同一のＰＬＭＮに属する場合、ＵＥは第１のネットワークアクセスを通じた登録手順が終了するまで、第２のネットワークアクセスを通じた登録開始／スタートを遅延する。第１のネットワークアクセスが３ＧＰＰアクセスである場合、第２のネットワークアクセスはＮｏｎ−３ＧＰＰアクセスであってもよく、このとき、３ＧＰＰアクセスは、５Ｇ  Ｎｅｗ  Ｒａｄｉｏ及びＵＥをＮＧコアネットワークに接続可能なＬＴＥを全て含むことができ、Ｎｏｎ−３ＧＰＰアクセスはＷＬＡＮアクセスであってもよい。逆に、第１のアクセスがｎｏｎ−３ＧＰＰアクセス（例えば、ＷＬＡＮアクセス）である場合、第２のアクセスは３ＧＰＰアクセスを意味する。即ち、ＵＥは、３ＧＰＰアクセスとｎｏｎ−３ＧＰＰアクセス（即ち、２つのアクセス）を通じて同時に（又は、ｓｉｍｕｌｔａｎｅｏｕｓｌｙ或いはｃｏｎｃｕｒｒｅｎｔｌｙ）初期登録（又は、アタッチ）を行わない。これは、１つのアクセスで初期登録手順が開始されると（又は、進行中であると）、他のアクセスでは初期登録（又は、登録）を開始／実行しないことと解釈できる。また、これは、１つのアクセスで初期登録手順が終了する場合、他のアクセスで登録を開始／実行できることと解釈できる。また、これは、１つのアクセスで初期登録手順が行われている場合、他のアクセスでの（初期）登録は停止（ｓｕｓｐｅｎｄ）されることと解釈できる。初期登録の終了は、登録手順が全て終了される時点と解釈されてもよく、ＵＥがＡＭＦから登録受諾（Ａｃｃｅｐｔ）メッセージを受信する時点と解釈されてもよい。３ＧＰＰアクセスでの登録手順及びｎｏｎ−３ＧＰＰアクセスでの登録手順は、ＴＳ  ２３．５０２の４．２．２（ｒｅｇｉｓｔｒａｔｉｏｎ  ｐｒｏｃｅｄｕｒｅ）及び４．１２．２（ｒｅｇｉｓｔｒａｔｉｏｎ  ｖｉａ  Ｕｎｔｒｕｓｔｅｄ  ｎｏｎ−３ＧＰＰ  ａｃｃｅｓｓ）を参照する。ここで、手順は、ｔｒａｎｓａｃｔｉｏｎ又は動作と解釈することができ、これは本発明の全般にわたって適用される。
【０１２９】
このように、第２のネットワークアクセスでの登録は、第１のネットワークアクセスでの登録が終了した後にのみ開始できるが、ＵＥが第１のネットワークアクセスを通じて登録を行うときに割り当てられた情報は、第２のネットワークアクセスを通じた登録を行うとき、ＵＥのＡＭＦ選択に使用できる。より具体的に、第１のネットワークアクセスを通じて登録されるときに割り当てられた情報から選択されるＡＭＦは、第１のネットワークアクセスにおいて、ＵＥのＡＭＦで選択されたＡＭＦと同一のものであってもよい。即ち、ＮＧコアネットワークにおいて、ＵＥにＡＭＦを指定／割り当てるネットワークファンクションは、上述のように、ＵＥが互いに異なるアクセスを通じて同時にアタッチ手順を行わないため、ＵＥに同一のＡＭＦを指定／割り当て／選択することができる。即ち、ＵＥが第１のネットワークアクセスを通じてＮＧコアネットワークにアタッチするとき、指定／割り当て／選択したＡＭＦ（即ち、サービングＡＭＦ）に対する情報に基づいて、ＵＥが第２のネットワークアクセスを通じてＮＧコアネットワークにアタッチするとき、ＵＥのサービングＡＭＦを認知／決定／選択することができる。ＵＥにＡＭＦを指定／割り当て／選択するネットワークファンクションは、ＡＭＦに対する情報を管理／維持するＤＢ（これは、ＨＳＳ、ＵＤＭ（Ｕｓｅｒ  Ｄａｔａ  Ｍａｎａｇｅｍｅｎｔ）、ＵＤＲ（Ｕｓｅｒ  Ｄａｔａ  Ｒｅｐｏｓｉｔｏｒｙ）、Ｓｔａｔｅ  ＤＢなど様々な名称で呼ばれてもよい）であってもよく、ＡＭＦをセレクション（ｓｅｌｅｃｔｉｏｎ）する機能を有しているファンクションであってもよい。これは、本発明の全般にわたして適用される。ＡＭＦをセレクションする機能を有しているファンクションの例には、ｇＮＢ、Ｎ３ＩＷＦ（Ｎｏｎ−３ＧＰＰ  ＩｎｔｅｒＷｏｒｋｉｎｇ  Ｆｕｎｃｔｉｏｎ）がある。即ち、ＵＥのＡＭＦの選択は、ｇＮＢ及びＮ３ＩＷＦによって行われるものであってもよい。しかし、これに制限されず、１つ以上の様々なネットワークファンクションによるＡＭＦ選択が行われてもよい。
【０１３０】
また、第１のネットワークアクセスを通じて登録するとき、割り当てられた情報は、ＡＭＦから割り当てられたＩＤ情報であってもよい。具体的には、上述において、ＵＥが第１のネットワークアクセスを通じてＮＧコアネットワークにアタッチするとき、指定／割り当て／選択したＡＭＦ（即ち、サービングＡＭＦ）に対する情報は、ＵＥが登録要求するときに含むＵＥの仮ユーザＩＤに基づいてもよい。この仮ユーザＩＤは、ＵＥがＮＧコアネットワークに登録するとき、ＡＭＦから割り当てられ、５Ｇ−ＧＵＴＩ（５Ｇ  Ｇｌｏｂａｌｌｙ  Ｕｎｉｑｕｅ  Ｔｅｍｐｏｒａｒｙ  Ｉｄｅｎｔｉｔｙ）と定義される。５Ｇ−ＧＵＴＩは、ＴＳ  ２３．５０１の５．９．４を参照すれば、以下の表２のように構成される。即ち、５Ｇ−ＧＵＴＩを割り当てたＡＭＦ、即ち、ＵＥのサービングＡＭＦの識別情報であるＧＵＡＭＩ（Ｇｌｏｂａｌｌｙ  Ｕｎｉｑｕｅ  ＡＭＦ  ＩＤ）とそのＡＭＦで該当ＵＥを識別できる情報である５Ｇ−ＴＭＳＩ（５Ｇ  Ｔｅｍｐｏｒａｒｙ  Ｍｏｂｉｌｅ  Ｓｕｂｓｃｒｉｂｅｒ  Ｉｄｅｎｔｉｔｙ）で構成される。
【０１３１】
【表２】
2019537901.tif 000005
【０１３２】
一方、ＮＧコアネットワークへのアタッチ手順は、１）ＵＥの認証手順、２）ＵＥのＮＡＳアタッチ手順、３）ＵＥの認証とＮＡＳアタッチ手順のうち１つであってもよい。これについて順次に説明する。
【０１３３】
ＵＥの認証手順は、ＷＬＡＮアクセスの場合、ＵＥをＮＧコアネットワークで認証する手順であって、例えば、ＥＡＰ手順である。ＥＡＰ手順の場合、ネットワークからＥＡＰ−Ｓｕｃｃｅｓｓメッセージを受信した場合、認証手順が完了したとみなすことができる。３ＧＰＰアクセスの場合、通常、ＵＥはＮＡＳアタッチ手順によって認証を受けるが、認証が別に行われる場合には、認証手順を示すことができる。認証が失敗することで、ネットワークから認証失敗／拒絶メッセージを受信する場合もこれに含まれることができる。
【０１３４】
ＵＥのＮＡＳアタッチ手順に関連して、ＵＥがネットワークからアタッチ受諾（Ａｃｃｅｐｔ）メッセージを受信する場合、ＮＡＳアタッチ手順が完了したとみなすことができる。しかし、アタッチが失敗することで、ネットワークからアタッチ拒絶（Ｒｅｊｅｃｔ）メッセージを受信する場合を含んでもよい。また、アタッチ手順に関連して、ＵＥとネットワークがやりとりする全てのメッセージ交換が終わってからこそＮＡＳアタッチ手順が完了したとみなすこともできる。本発明において、ＮＡＳアタッチ手順は、初期登録手順又は初期登録アップデート手順又は初期登録タイプの登録手順などと解釈できる。
【０１３５】
ＵＥの認証とＮＡＳアタッチ手順に関連して、ＵＥの認証とＮＡＳアタッチ手順が同時に行われる場合、２つの手順がいずれも完了した場合、ＮＧコアネットワークへのアタッチ手順が完了したとみなすことができる。これは、通常、ＮＡＳアタッチ手順に対するアタッチ受諾（Ａｃｃｅｐｔ）メッセージ又はアタッチ拒絶（Ｒｅｊｅｃｔ）メッセージをＵＥが受信した場合に該当することができる。しかし、その他にも、認証成功／失敗メッセージをＵＥが受信した場合、又はＮＡＳアタッチに対する応答メッセージも受信して、認証に対する応答メッセージも受信した場合に該当することもできる。
【０１３６】
上述のように、ＵＥが第１のネットワークアクセスを通じてＮＧコアネットワークへのアタッチ手順を完了した後、第２のネットワークアクセスを通じてＮＧコアネットワークへのアタッチ手順を開始する動作（又は、ＵＥが２つのアクセスを通じて同時に初期登録を行わない動作）は、ＵＥが常に守るべき規則でもあり得るが、Ａ）第１のネットワークアクセスが属するＰＬＭＮと第２のネットワークアクセスが属するＰＬＭＮが同一の場合、Ｂ）第１のネットワークアクセスが３ＧＰＰアクセスであり、第２のネットワークアクセスがｎｏｎ−３ＧＰＰアクセスである場合、第１のネットワークアクセス（又は、ＲＡＮ或いはｇＮＢ）が属するＰＬＭＮとＮ３ＩＷＦが属するＰＬＭＮが同一の場合のうち１つ以上の条件を満たす場合に適用されるものであってもよい。仮に、上述したＡ）及び／又はＢ）の条件を満たさない場合、ＵＥは、第１のネットワークアクセスを通じたＮＧコアネットワークへのアタッチ手順と第２のネットワークアクセスを通じたＮＧコアネットワークへのアタッチ手順を並行（ｐａｒａｌｌｅｌ）して行うことができる。
【０１３７】
以下、ネットワークの側面を中心として本発明の実施例を説明する。
【０１３８】
ＵＥが第１のネットワークアクセスを通じてＮＧコアネットワークへのアタッチ手順を行いながら（即ち、アタッチ手順が完了されない状態で）、第２のネットワークアクセスを通じてＮＧコアネットワークへのアタッチ手順を行う場合、ＵＥは、第２のネットワークアクセスを通じてネットワークに接続要求／関連メッセージを送信するとき、ｉ）ＵＥが他のアクセスを通じてアタッチ手順を行っていることを通知する情報、ｉｉ）ＵＥがアタッチ手順を行っている他のアクセスのアクセスタイプ情報、ｉｉｉ）未だＵＥがサービングＡＭＦがないことを通知する情報、ｉｖ）未だＵＥがＡＭＦから提供／割り当てられたＩＤ（これは、仮ユーザＩＤであってもよい）がないことを通知する情報（ご参考までに、仮ユーザＩＤはこれを提供／割り当てたＡＭＦに対する情報（例えば、識別子）が含まれていてもよい）のうち１つ以上の情報を含む。この情報は、複合的な形態で、また明示的又は暗示的に含まれてもよい。
【０１３９】
ここで、ＮＧコアネットワークへのアタッチ手順が完了されない状態は、上述したＮＧコアネットワークへのアタッチ手順が完了したこととみなす場合に該当しない状態を意味する。また、ｉｉｉ）、ｉｖ）の情報は、ＵＥがアタッチ要求メッセージに仮ユーザＩＤを含ませないことと取り替えられることができる。
【０１４０】
上述したｉ）〜ｉｖ）の情報は、ａ）ＵＥがネットワークに送信する認証要求／関連メッセージ（これは、ＵＥがＮＧコアネットワークに送信する（これは、ｎｇＰＤＧ、Ｎ３ＩＷＦと解釈されてもよく、ＡＭＦと解釈されてもよい）第１番目のメッセージであってもよく、そうではなくてもよい。これは、この情報を含ませるプロトコルによって様々であり得る。例えば、ＩＫＥｖ２メッセージ、ＥＡＰメッセージなど）及び／又はｂ）ＵＥがネットワークに送信するＮＡＳアタッチ要求メッセージ（これは、アタッチ乃至初期登録を行うための要求メッセージと解釈されてもよい）に含まれてもよい。
【０１４１】
上述のように、ＵＥが第１のネットワークアクセスを通じてＮＧコアネットワークへのアタッチ手順を行いながら、第２のネットワークアクセスを通じてＮＧコアネットワークへのアタッチ手順を行う場合、この情報を含む動作は、常に行われてもよく、又は、Ａ）第１のネットワークアクセスが属するＰＬＭＮと第２のネットワークアクセスが属するＰＬＭＮとが同一の場合、Ｂ）第１のネットワークアクセスが３ＧＰＰアクセスであり、第２のネットワークアクセスがｎｏｎ−３ＧＰＰアクセスである場合、第１のネットワークアクセス（又は、ＲＡＮ或いはｇＮＢ）が属するＰＬＭＮとＮ３ＩＷＦが属するＰＬＭＮとが同一の場合、のうち１つ以上の条件を満たす場合に適用されてもよい。
【０１４２】
ＵＥにＡＭＦを指定／割り当て／選択するネットワークファンクション（ｎｅｔｗｏｒｋ  ｆｕｎｃｔｉｏｎ）（ｇＮＢ、Ｎ３ＩＷＦ又は類似機能を行うネットワークノードなど）が、上述したｉ）〜ｉｖ）情報を含むネットワークへの接続要求／関連メッセージを受信するか、このメッセージによって他のネットワークファンクションからＵＥのサービングＡＭＦがいずれなのかを問い合わせるメッセージを受信する場合、ＵＥに指定／割り当てられたサービングＡＭＦが存在するか否かを確認する。
【０１４３】
仮に、サービングＡＭＦが存在する場合（又は、存在すると判断された場合）、当該サービングＡＭＦが前記メッセージ（又は、前記ＵＥ）を処理できるようにする。これは、結局、ＵＥが第１のネットワークアクセスを通じてネットワークに接続されることによって、指定／割り当て／選択されたサービングＡＭＦが、ＵＥが第２のネットワークアクセスを通じてネットワークに接続される場合でも、ＵＥをサービングするようにすることと解釈できる。具体的に、ＡＭＦを指定／割り当て／選択するネットワークファンクションが、既にＵＥに指定／割り当て／選択されたサービングＡＭＦを同様に指定／割り当て／選択することで、アクセスには関係なく同一のＡＭＦがＵＥをサービングするようにする。仮に、ＵＥに対するサービングＡＭＦがいずれなのかを問い合わせるメッセージを受信した場合には、これを受信したネットワークファンクションは、既にＵＥに指定／割り当て／選択されたサービングＡＭＦを確認した後、これを含んで問い合わせに応答する。
【０１４４】
仮に、サービングＡＭＦが存在しない場合（又は、存在しないと判断された場合）、未だ第１のネットワークアクセスへの接続に関して、サービングＡＭＦが指定／割り当て／確認／選択されていないことであるため、ネットワークファンクションは、サービングＡＭＦが指定／割り当て／確認／選択されるまで、第２のネットワークアクセスを通じてＵＥが送信したネットワークへの接続要求／関連メッセージが処理されることを遅延する。
【０１４５】
その後、ＵＥに対してサービングＡＭＦが指定／割り当て／確認／選択される場合、第２のネットワークアクセスを通じてＵＥが送信したネットワークへの接続要求／関連メッセージが当該サービングＡＭＦで処理できるようにする。これは、結局、ＵＥが第１のネットワークアクセスを通じてネットワークに接続されることによって、指定／割り当て／選択されたサービングＡＭＦが、ＵＥが第２のネットワークアクセスを通じてネットワークに接続される場合でも、ＵＥをサービングするようにすることと解釈できる。具体的には、ＡＭＦを指定／割り当て／選択するネットワークファンクションが、未だＵＥにサービングＡＭＦを指定／割り当て／選択しない場合、これを指定／割り当て／選択して、アクセスに関係なく、同一のＡＭＦがＵＥをサービングするようにする。仮に、ＵＥに対するサービングＡＭＦがいずれなのかを問い合わせるメッセージが受信された場合、これを受信したネットワークファンクションは、サービングＡＭＦが確認／選択された後、即ち、これに対する情報を獲得した後、この問い合わせに応答する。或いは、この問い合わせに対して、先ずはサービングＡＭＦが存在しないことを通知して、その後、確認できたら、これを問い合わせしたネットワークファンクションに通知する。
【０１４６】
続いて、ＵＥが第１のネットワークアクセスを通じてＮＧコアネットワークへのアタッチ手順を行いながら（即ち、アタッチ手順が完了しない状態で）、第２のネットワークアクセスを通じてＮＧコアネットワークへのアタッチ手順を行う。
【０１４７】
このとき、ＵＥが第２のネットワークアクセスを通じてネットワークに接続要求／関連メッセージを送信するとき、上述したｉ）〜ｉｖ）の情報を含ませることもできる。
【０１４８】
ＵＥをサービングするためにＡＭＦが割り当て／選択される場合、ＡＭＦは自身が該当ＵＥのサービングＡＭＦであることをＵＤＭに登録する。このとき、さらに、Ｉ）上述したＵＥから受信した情報（即ち、上述したｉ）〜ｉｖ）情報）、ＩＩ）ＵＥが登録を行ったアクセスの種類（例えば、３ＧＰＰアクセス、ｎｏｎ−３ＧＰＰアクセスなど）、ＩＩＩ）ＡＭＦが属した／位置したＰＬＭＮ情報：これはＡＭＦのＩＤ情報から類推することもできる。（仮に、２つのアクセスに対して同一のＡＭＦが割り当て／選択される場合、ＡＭＦはＵＤＭに自身をサービングＡＭＦとして登録する動作を１回のみ行うこともできる。このとき、ＵＤＭに上述した情報を提供しなくてもよい）のうち、１つ以上の情報をＵＤＭに提供することができる。
【０１４９】
ＵＤＭがＡＭＦからサービングＡＭＦに対する登録要求を受信した場合、互いに異なるアクセスに対して、既に該当ＵＥのサービングＡＭＦが登録されているか、登録されている場合、２つのＡＭＦが同一のＰＬＭＮに属するかを検証する。
【０１５０】
検証結果、同一のＰＬＭＮに属する場合には、ＵＤＭは、サービングＡＭＦ登録を要求したＡＭＦに、既に登録されているＡＭＦの情報を提供しながらＡＭＦ変更／リダイレクションを指示する。この指示は、明示的であってもよく暗示的であってもよい。例えば、既にサービングＡＭＦが存在することを通知しながら、このＡＭＦに関する情報を提供することもできる。或いは、サービングＡＭＦ登録要求を拒絶しながら、既に登録されているＡＭＦに関する情報を提供することもできる。
【０１５１】
具体的に、上述した指示／情報が提供されたＡＭＦは、既にＵＥをサービング中のＡＭＦがこのＵＥをサービングするようにする。これは、既にＵＥをサービング中のＡＭＦに、自身が受信した登録要求メッセージを伝達及び／又は自身が有している／生成したＵＥコンテキスト情報を伝達する動作を含んでもよい。また、自身が当該ＵＥに対して生成したコンテキストがある場合、これを削除する動作を含んでもよい。既にＵＥをサービング中のＡＭＦは、登録手順（これは、結局、第２のネットワークアクセスに対する登録である）を完了する。
【０１５２】
別の例として、上述した指示／情報が提供されたＡＭＦは、ＵＥの登録手順を完了する。このとき、ＡＭＦはＵＤＭから提供されたＡＭＦに、ＵＥに対する仮ユーザＩＤを問い合わせて獲得する。また、登録要求に対する応答としてＵＥに登録応答／許容メッセージ（例えば、アタッチ受諾（Ａｃｃｅｐｔ）又は登録受諾（Ａｃｃｅｐｔ））を送信するとき、この仮ユーザＩＤを含ませる。即ち、ＵＥから登録要求を受けたＡＭＦが仮ユーザＩＤを割り当てる代わりに、既にＵＥをサービング中のＡＭＦが既に割り当てた仮ユーザＩＤが提供されて、ＵＥに送信することである。上述した指示／情報が提供されたＡＭＦは、その後、自身が有している／生成したＵＥコンテキスト情報を、ＵＥを既にサービングしていたＡＭＦに伝達する動作を行うことができる。また、自身が当該ＵＥに対して生成したコンテキストがある場合、これを削除する動作を行うことができる。
【０１５３】
図１３〜図１５には、上述した本発明の実施例に関する具体的な登録手順の例が示されている。その例では、便宜のために、ＵＥがＰＤＵセッションを形成する動作、トラフィックを送受信する動作などは図示を省略して、これは、ＴＳ  ２３．５０１、ＴＳ  ２３．５０２を参照する。以下、ＮＧ−ＲＡＮは、３ＧＰＰアクセスネットワークで５Ｇコアネットワークに接続されたＲＡＮであり、ＴＳ  ２３．５０１に定義されているように、１）Ｓｔａｎｄａｌｏｎｅ  Ｎｅｗ  Ｒａｄｉｏ、２）Ｎｅｗ  Ｒａｄｉｏ  ｉｓ  ｔｈｅ  ａｎｃｈｏｒ  ｗｉｔｈ  Ｅ−ＵＴＲＡ  ｅｘｔｅｎｓｉｏｎｓ、３）Ｓｔａｎｄａｌｏｎｅ  Ｅ−ＵＴＲＡ、４）Ｅ−ＵＴＲＡ  ｉｓ  ｔｈｅ  ａｎｃｈｏｒ  ｗｉｔｈ  Ｎｅｗ  Ｒａｄｉｏ  ｅｘｔｅｎｓｉｏｎｓであってもよい。ＮＧ−ＲＡＮはＲＡＮとも呼ばれ、５Ｇコアネットワークに接続されたｇＮＢ又は５Ｇコアネットワークに接続されたｅＮＢ（又は、ｎｇ−ｅＮＢ）とも呼ばれる。以下、図１３〜図１５の各々の場合について具体的に説明する。
【０１５４】
図１３は、ＵＥがサービスを受けようとする３ＧＰＰアクセスとｎｏｎ−３ＧＰＰアクセス（これは、Ｎ３ＩＷＦと解釈することができ、本発明の全般にわたって適用される）が同一のＰＬＭＮに属する場合を示す。ステップＳ１３０１において、ＵＥがｐｏｗｅｒ−ｏｎ（即ち、ｓｗｉｔｃｈ−ｏｎ）される。ここで、３ＧＰＰアクセスを通じて５Ｇコアネットワークに接続しようとする。さらに、ＵＥは、ｎｏｎ−３ＧＰＰアクセスを通じても５Ｇコアネットワークに接続しようとする。３ＧＰＰアクセス及びｎｏｎ−３ＧＰＰアクセスが同一のＰＬＭＮに属するため、ＵＥは、一方のアクセスへの登録を先に行い、これが終わったら他のアクセスへの登録を行うことを決定する。図１３では、３ＧＰＰアクセスを通じた登録を先に行うことを仮定する。もちろん、ｎｏｎ−３ＧＰＰアクセスを通じた登録を先に行うこともでき、この場合、ステップＳ１３０５〜ステップＳ１３０８が先に行われ、その後、ステップＳ１３０１〜ステップＳ１３０４が行われる。
【０１５５】
ステップＳ１３０１において、ＵＥは、ＮＧ−ＲＡＮを通じて５Ｇコアネットワークに登録要求メッセージを送信する。このとき、登録要求メッセージは、ＵＥの識別子として、ＳＵＰＩ（Ｓｕｂｓｃｒｉｂｅｒ  Ｐｅｒｍａｎｅｎｔ  Ｉｄｅｎｔｉｆｉｅｒ又はＳｕｂｓｃｒｉｐｔｉｏｎ  Ｐｅｒｍａｎｅｎｔ  Ｉｄｅｎｔｉｆｉｅｒ）を含むことができる。
【０１５６】
ステップＳ１３０２において、ＵＥから登録要求メッセージを受信したＮＧ−ＲＡＮは、ＵＥをサービングするＡＭＦを選択して、このＡＭＦに登録要求メッセージを伝達する。
【０１５７】
ステップＳ１３０３及びステップＳ１３０４において、ＡＭＦはＵＥに５Ｇ−ＧＵＴＩを割り当てる。また、これを含んでＵＥに登録受諾メッセージを送信する。この登録受諾メッセージは、ＮＧ−ＲＡＮによってＵＥに伝達される。
【０１５８】
ステップＳ１３０５において、ＵＥは、第１のネットワークアクセスを通じて５Ｇコアネットワークに登録を終えたため、第２のネットワークアクセスを通じた登録を行う。ここで、ｎｏｎ−３ＧＰＰアクセスネットワークを通じて、５Ｇコアネットワークに登録要求メッセージを送信する。このとき、登録要求メッセージは、ＵＥの識別子として、ステップＳ１３０４において受信した登録受諾メッセージに含まれた５Ｇ−ＧＵＴＩを含む。
【０１５９】
ステップＳ１３０６において、ＵＥが送信した登録要求メッセージをＮ３ＩＷＦが受信する。Ｎ３ＩＷＦはＵＥが含ませた５Ｇ−ＧＵＴＩを用いてＵＥのサービングＡＭＦを決定することができる。また、このＡＭＦに登録要求メッセージを伝達する。
【０１６０】
ステップＳ１３０７及びステップＳ１３０８において、ＡＭＦはＵＥに登録受諾メッセージを送信する。この登録受諾メッセージは、Ｎ３ＩＷＦ及びｎｏｎ−３ＧＰＰアクセスネットワークを通じてＵＥに伝達される。
【０１６１】
図１４は、図１３と同様に、ＵＥが接続した３ＧＰＰアクセスとｎｏｎ−３ＧＰＰアクセスとが同一のＰＬＭＮに属する場合を示す。図１３との相違点は、ＵＥが既に３ＧＰＰアクセスを通じて５Ｇコアネットワークに登録してサービスを受けている状態において、ｎｏｎ−３ＧＰＰアクセスを通じてサービスを受けようとする場合である。
【０１６２】
ステップＳ１４０１において、ＵＥはＮＧ−ＲＡＮを通じて５Ｇコアネットワークに登録要求メッセージを送信する。このとき、登録要求メッセージは、ＵＥの識別子としてＳＵＰＩを含むことができる。
【０１６３】
ステップＳ１４０２において、ＵＥから登録要求メッセージを受けたＮＧ−ＲＡＮは、ＵＥをサービングするＡＭＦを選択して、このＡＭＦに登録要求メッセージを伝達する。
【０１６４】
ステップＳ１４０３及びステップＳ１４０４において、ＡＭＦはＵＥに５Ｇ−ＧＵＴＩを割り当てる。また、これを含んでＵＥに登録受諾メッセージを送信する。この登録受諾メッセージは、ＮＧ−ＲＡＮを通じてＵＥに伝達される。
【０１６５】
その後、図１４には示さないものの、ＵＥはＰＤＵセッションを形成して、サービスを受けることができる。
【０１６６】
ステップＳ１４０５において、ＵＥが移動することによって、移動による登録アップデート（これは、本発明の全般にわたって、ｒｅ−ｒｅｇｉｓｔｒａｔｉｏｎ（再登録）と解釈できる）を行わなければならない。これはステップＳ１４０４の登録受諾メッセージに含まれた登録領域をＵＥが外れたためである。ここでは、ＵＥの移動による登録アップデートを説明したが、これとは異なり、登録アップデートタイマーが満了することによって、周期的な（ｐｅｒｉｏｄｉｃ）登録アップデートを行う動作、又は、ＵＥの能力（ｃａｐａｂｉｌｉｔｙ）／設定（ｃｏｎｆｉｇｕｒａｔｉｏｎ）が変更されたことによって、登録アップデートを行う動作など様々な理由によってＵＥが登録アップデートを行う全てのことが該当する。
【０１６７】
このとき、ＵＥは、ｎｏｎ−３ＧＰＰアクセスを通じても５Ｇコアネットワークに接続しようとする。ＵＥは、３ＧＰＰアクセスとｎｏｎ−３ＧＰＰアクセスとが同一のＰＬＭＮに属するため、一方のアクセスへの登録を先に行い、これが終わったら他方のアクセスへの登録を行うことを決定する。図１４では、３ＧＰＰアクセスを通じた登録を先に行うことを仮定する。しかし、これとは異なり、ｎｏｎ−３ＧＰＰアクセスを通じた登録を先に行うこともできる。この場合、ステップＳ１４１０〜ステップＳ１４１３が先に行われ、その後、ステップＳ１４０６〜ステップＳ１４０９が行われる。
【０１６８】
ステップＳ１４０６において、ＵＥは、ＮＧ−ＲＡＮを通じて５Ｇコアネットワークに登録要求メッセージを送信する。このとき、登録要求メッセージは、ＵＥの識別子として５Ｇ−ＧＵＴＩを含む。
【０１６９】
ステップＳ１４０７において、ＵＥから登録要求メッセージを受けたＮＧ−ＲＡＮは、ＵＥのサービングＡＭＦに登録要求メッセージを伝達する。
【０１７０】
ステップＳ１４０８及びステップＳ１４０９において、ＡＭＦはＵＥに登録受諾メッセージを送信する。この登録受諾メッセージは、ＮＧ−ＲＡＮを通じてＵＥに伝達される。ＡＭＦはＵＥのために５Ｇ−ＧＵＴＩを新たに割り当てることができ、このとき、これを登録受諾メッセージに含ませてＵＥに提供する。
【０１７１】
ステップＳ１４１０において、ＵＥは、第１のネットワークアクセスを通じて５Ｇコアネットワークに登録を終えたため、第２のネットワークアクセスを通じた登録を行う。ここで、ｎｏｎ−３ＧＰＰアクセスネットワークによって５Ｇコアネットワークに登録要求メッセージを送信する。このとき、登録要求メッセージは、ＵＥの識別子として、ＵＥが３ＧＰＰアクセスを通じて登録を行った後、ＡＭＦから受信した５Ｇ−ＧＵＴＩを含む。これは、ステップＳ１４０９において受信した場合、ステップＳ１４０９の登録受諾メッセージに含まれた５Ｇ−ＧＵＴＩであり、そうではない場合、ステップＳ１４０４の登録受諾メッセージに含まれた５Ｇ−ＧＵＴＩである。
【０１７２】
ステップＳ１４１１において、ＵＥが送信した登録要求メッセージをＮ３ＩＷＦが受信する。Ｎ３ＩＷＦはＵＥが含ませた５Ｇ−ＧＵＴＩを用いて、ＵＥのサービングＡＭＦを決定することができる。また、そのＡＭＦに登録要求メッセージを伝達する。
【０１７３】
ステップＳ１４１２及びステップＳ１４１３において、ＡＭＦはＵＥに登録受諾メッセージを送信する。この登録受諾メッセージは、Ｎ３ＩＷＦ及びｎｏｎ−３ＧＰＰアクセスネットワークを通じてＵＥに伝達される。
【０１７４】
図１５は、図１４のように、ＵＥが既に３ＧＰＰアクセスを通じて５Ｇコアネットワークに登録してサービスを受けている状態において、ｎｏｎ−３ＧＰＰアクセスを通じてサービスを受けようとする場合を示す。しかし、図１４とは異なり、ＵＥが接続した３ＧＰＰアクセスとｎｏｎ−３ＧＰＰアクセスとが互いに異なるＰＬＭＮに属する場合を示す。
【０１７５】
ステップＳ１５０１において、ＵＥはＮＧ−ＲＡＮを通じて５Ｇコアネットワークに登録要求メッセージを送信する。このとき、登録要求メッセージは、ＵＥの識別子としてＳＵＰＩを含むことができる。
【０１７６】
ステップＳ１５０２において、ＵＥから登録要求メッセージを受けたＮＧ−ＲＡＮは、ＵＥをサービングするＡＭＦを選択して、このＡＭＦ、即ち、ＡＭＦ＃１に登録要求メッセージを伝達する。
【０１７７】
ステップＳ１５０３及びステップＳ１５０４において、ＡＭＦ＃１はＵＥに５Ｇ−ＧＵＴＩを割り当てる。また、これを含んでＵＥに登録受諾メッセージを送信する。この登録受諾メッセージはＮＧ−ＲＡＮを通じてＵＥに伝達される。
【０１７８】
その後、図１５には示さないものの、ＵＥはＰＤＵセッションを形成して、サービスを受けることができる。
【０１７９】
ステップＳ１５０５において、ＵＥが移動することによって、移動による登録アップデート（これは、本発明の全般にわたって、ｒｅ−ｒｅｇｉｓｔｒａｔｉｏｎ（再登録）と解釈できる）を行わなければならない。これは、ステップＳ１５０４の登録受諾メッセージに含まれた登録領域をＵＥが外れたためである。ここでは、ＵＥの移動による登録アップデートを説明したが、これとは異なり、登録アップデートタイマーが満了されることによって、周期的な登録アップデートを行う動作、又は、ＵＥの能力／設定が変更されることによって登録アップデートを行う動作など様々な理由によってＵＥが登録アップデートを行う全てのことが該当する。
【０１８０】
このとき、ＵＥはｎｏｎ−３ＧＰＰアクセスを通じても５Ｇコアネットワークに接続しようとする。ＵＥは、３ＧＰＰアクセスとｎｏｎ−３ＧＰＰアクセスとが互いに異なるＰＬＭＮに属するため、一方のアクセスへの登録が完了するまで、他方のアクセスへの登録を遅延させる必要がない。ここで、２つのアクセスへの登録を同時に（又は、個別的に、並列的に、或いは独立的に）行うことを決定する。ここで、ステップＳ１５０６ａ〜ステップＳ１５０９ａと、ステップＳ１５０６ｂ〜ステップＳ１５０９ｂとが同時に行われる。
【０１８１】
ステップＳ１５０６ａにおいて、ＵＥはＮＧ−ＲＡＮを通じて５Ｇコアネットワークに登録要求メッセージを送信する。このとき、登録要求メッセージはＵＥの識別子として５Ｇ−ＧＵＴＩを含む。
【０１８２】
ステップＳ１５０７ａにおいて、ＵＥから登録要求メッセージを受けたＮＧ−ＲＡＮは、ＵＥのサービングＡＭＦであるＡＭＦ＃１に登録要求メッセージを伝達する。
【０１８３】
ステップＳ１５０８ａ及びステップＳ１５０９ａにおいて、ＡＭＦ＃１は、ＵＥに登録受諾メッセージを送信する。この登録受諾メッセージは、ＮＧ−ＲＡＮを通じてＵＥに伝達される。ＡＭＦ＃１はＵＥのために５Ｇ−ＧＵＴＩを新たに割り当てることもでき、このとき、これを登録受諾メッセージに含ませてＵＥに提供する。
【０１８４】
ステップＳ１５０６ｂにおいて、ＵＥは第１のネットワークアクセスを通じて５Ｇコアネットワークに登録済みであるか否かには関係なく、第２のネットワークアクセスを通じた登録を行う。ここで、ｎｏｎ−３ＧＰＰアクセスネットワークによって５Ｇコアネットワークに登録要求メッセージを送信する。このとき、登録要求メッセージはＵＥの識別子としてＳＵＰＩを含むことができる。
【０１８５】
ステップＳ１５０７ｂにおいて、ＵＥが送信した登録要求メッセージをＮ３ＩＷＦが受信する。Ｎ３ＩＷＦはＵＥをサービングするＡＭＦを選択して、このＡＭＦ、即ち、ＡＭＦ＃２に登録要求メッセージを伝達する。
【０１８６】
ステップＳ１５０８ｂ及びステップＳ１５０９ｂにおいて、ＡＭＦ＃２はＵＥに５Ｇ−ＧＵＴＩを割り当てる。また、これを含んでＵＥに登録受諾メッセージを送信する。この登録受諾メッセージは、Ｎ３ＩＷＦ及びｎｏｎ−３ＧＰＰアクセスネットワークによってＵＥに伝達される。
【０１８７】
上述では、２つのアクセス間の初期登録（ｉｎｉｔｉａｌ  ｒｅｇｉｓｔｒａｔｉｏｎ）手順乃至は登録（ｒｅｇｉｓｔｒａｔｉｏｎ）手順を中心として説明したが、これは２つのアクセス間にＭＭ（Ｍｏｂｉｌｉｔｙ  Ｍａｎａｇｅｍｅｎｔ）手順が同時に行われてはいけないことと拡張適用することができる。
【０１８８】
図１６は、本発明の一例による端末装置及びネットワークノード装置の好適な実施例の構成を示す図である。
【０１８９】
図１６を参照して、本発明による端末装置１００は、送受信装置１１０、プロセッサー１２０及びメモリ１３０を含むことができる。送受信装置１１０は、外部装置に各種の信号、データ及び情報を送信して、外部装置から各種の信号、データ及び情報を受信するように構成される。端末装置１００は、外部装置と有線及び／又は無線で接続されることができる。プロセッサー１２０は、端末装置１００全般の動作を制御することができ、端末装置１００が外部装置と送受信する情報などを演算処理する機能を行うように構成される。メモリ１３０は、演算処理された情報などを所定時間の間に記憶することができ、バッファー（未図示）などの構成要素に取り替えられることができる。また、プロセッサー１２０は、本発明で提案する端末動作を行うように構成される。具体的に、プロセッサー１２０は、第１のネットワークアクセスを通じて登録を行い、第２のネットワークアクセスを通じて登録を行い、第１のネットワークと第２のネットワークとが同一のＰＬＭＮ（Ｐｕｂｌｉｃ  Ｌａｎｄ  Ｍｏｂｉｌｅ  Ｎｅｔｗｏｒｋ）に属する場合、ＵＥは、必ず、第１のネットワークアクセスを通じた登録手順が終了した後、第２のネットワークアクセスを通じた登録を開始することができる。
【０１９０】
図１６を参照すれば、本発明によるネットワークノード装置２００は、送受信装置２１０、プロセッサー２２０及びメモリ２３０を含むことができる。送受信装置２１０は、外部装置に各種の信号、データ及び情報を送信して、外部装置に各種の信号、データ及び情報を受信するように構成される。ネットワークノード装置２００は、外部装置と有線及び／又は無線で接続されることができる。プロセッサー２２０は、ネットワークノード装置２００全般の動作を制御することができ、ネットワークノード装置２００が外部装置と送受信する情報などを演算処理する機能を行うように構成される。メモリ２３０は、演算処理された情報などを所定時間の間に記憶することができ、バッファー（未図示）などの構成要素と取り替えられることができる。また、プロセッサー２２０は、本発明で提案するネットワークノード動作を行うように構成される。
【０１９１】
また、上述したような端末装置１００及びネットワーク装置２００の具体的な構成は、上述した本発明の様々な実施例で説明した事項が独立的に適用されてもよく、又は２つ以上の実施例が同時に適用されるように具体的に実現されてもよく、重複する内容は明確性のために説明を省略する。
【０１９２】
本発明の実施例は、様々な手段によって具体的に実現できる。例えば、本発明の実施例は、ハードウェア、ファームウェア（ｆｉｒｍｗａｒｅ）、ソフトウェア又はこれらの組み合わせなどによって具体的に実現できる。
【０１９３】
ハードウェアによる具体的な実現の場合、本発明の実施例による方法は、１つ以上のＡＳＩＣｓ（Ａｐｐｌｉｃａｔｉｏｎ  Ｓｐｅｃｉｆｉｃ  Ｉｎｔｅｇｒａｔｅｄ  Ｃｉｒｃｕｉｔｓ）、ＤＳＰｓ（Ｄｉｇｉｔａｌ  Ｓｉｇｎａｌ  Ｐｒｏｃｅｓｓｏｒｓ）、ＤＳＰＤｓ（Ｄｉｇｉｔａｌ  Ｓｉｇｎａｌ  Ｐｒｏｃｅｓｓｉｎｇ  Ｄｅｖｉｃｅｓ）、ＰＬＤｓ（Ｐｒｏｇｒａｍｍａｂｌｅ  Ｌｏｇｉｃ  Ｄｅｖｉｃｅｓ）、ＦＰＧＡｓ（Ｆｉｅｌｄ  Ｐｒｏｇｒａｍｍａｂｌｅ  Ｇａｔｅ  Ａｒｒａｙｓ）、プロセッサー、コントローラ、マイクロコントローラ、マイクロプロセッサーなどによって具体的に実現できる。
【０１９４】
ファームウェアやソフトウェアによる具体的な実現の場合、本発明の実施例による方法は、上述した機能又は動作を行う装置、手順又は関数などの形態として具体的に実現できる。ソフトウェアコードは、メモリユニットに記憶されてプロセッサーによって駆動されてもよい。メモリユニットは、プロセッサーの内部又は外部に位置して、既知の様々な手段によってプロセッサーとデータをやり取りすることができる。
【０１９５】
上述のような本発明の好適な実施例に関する詳細な説明は、当業者が本発明を具体的に実現して実施できるように提供される。上述では、本発明の好適な実施例を参照して説明したが、当該技術分野における熟練した当業者には、添付する特許請求の範囲に記載された本発明の思想及び領域から逸脱しない範囲内で本発明を様々に修正及び変更できるということが理解できる。したがって、本発明は、ここに示した実施の形態に制限されるものではなく、ここに開示した原理及び新規な特徴と一致する最も広い範囲を与えるためのものである。
【産業上の利用可能性】
【０１９６】
上述したような本発明の様々な実施形態は、３ＧＰＰシステムを中心として説明されたが、様々な移動通信システムに同様な方式によって適用されることができる。
【図１】
2019537901.tif 000006
【図２】
2019537901.tif 000007
【図３】
2019537901.tif 000008
【図４】
2019537901.tif 000009
【図５】
2019537901.tif 000010
【図６】
2019537901.tif 000011
【図７】
2019537901.tif 000012
【図８】
2019537901.tif 000013
【図９】
2019537901.tif 000014
【図１０】
2019537901.tif 000015
【図１１】
2019537901.tif 000016
【図１２（ａ）】
2019537901.tif 000017
【図１２（ｂ）】
2019537901.tif 000018
【図１２（ｃ）】
2019537901.tif 000019
【図１３】
2019537901.tif 000020
【図１４】
2019537901.tif 000021
【図１５】
2019537901.tif 000022
【図１６】
2019537901.tif 000023
【手続補正書】
【提出日】令和1年6月3日(2019.6.3)
【手続補正１】
【補正対象書類名】特許請求の範囲
【補正対象項目名】全文
【補正方法】変更
【補正の内容】
【特許請求の範囲】
【請求項１】
無線通信システムにおいて、ＵＥ（Ｕｓｅｒ  Ｅｑｕｉｐｍｅｎｔ）が第１のネットワークアクセス及び第２のネットワークアクセスを通じて登録を実行する方法であって、
前記ＵＥが第１のネットワークアクセスを通じて登録を実行するステップと、
前記ＵＥが第２のネットワークアクセスを通じて登録を実行するステップと、を含み、
前記第１のネットワークアクセスと第２のネットワークアクセスとが同一のＰＬＭＮ（Ｐｕｂｌｉｃ  Ｌａｎｄ  Ｍｏｂｉｌｅ  Ｎｅｔｗｏｒｋ）に属するとき、前記ＵＥは、前記第１のネットワークアクセスを通じた前記登録が完了した後にのみ、前記第２のネットワークアクセスを通じた前記登録を開始し、
前記第１のネットワークアクセスを通じた前記登録の間に前記ＵＥに割り当てられた情報は、前記第２のネットワークアクセスを通じた前記登録の間に前記ＵＥのＡＭＦの選択に用いられる、方法。
【請求項２】
前記第１のネットワークアクセスを通じた前記登録の間に割り当てられた前記情報から選択される前記ＡＭＦは、前記ＵＥのＡＭＦとして前記第１のネットワークアクセスから選択されるＡＭＦと同一である、請求項１に記載の方法。
【請求項３】
前記ＵＥの前記ＡＭＦの選択は、
前記第２のネットワークアクセスが３ＧＰＰアクセスである場合、ｇＮＢによって実行され、
前記第２のネットワークアクセスが非３ＧＰＰアクセスである場合、Ｎ３ＩＷＦ（Ｎｏｎ−３ＧＰＰ  ＩｎｔｅｒＷｏｒｋｉｎｇ  Ｆｕｎｃｔｉｏｎ）によって実行される、請求項１に記載の方法。
【請求項４】
前記第１のネットワークアクセス及び前記第２のネットワークアクセスは、それぞれ、非３ＧＰＰアクセス及び３ＧＰＰアクセスである、又は、それぞれ、３ＧＰＰアクセス及び非３ＧＰＰアクセスである、請求項１に記載の方法。
【請求項５】
前記非３ＧＰＰアクセスは、ＷＬＡＮアクセスである、請求項４に記載の方法。
【請求項６】
前記第１のネットワークアクセスを通じた前記登録の間に割り当てられた前記情報は、前記ＡＭＦから割り当てられたＩＤ情報である、請求項１に記載の方法。
【請求項７】
無線通信システムにおいて、第１のネットワークアクセス及び第２のネットワークアクセスを通じた登録を実行するＵＥ（Ｕｓｅｒ  Ｅｑｕｉｐｍｅｎｔ）であって、
送受信モジュールと、
プロセッサーと、を含み、
前記プロセッサーは、第１のネットワークアクセスを通じて登録を実行し、第２のネットワークアクセスを通じて登録を実行し、
前記第１のネットワークアクセスと第２のネットワークアクセスとが同一のＰＬＭＮ（Ｐｕｂｌｉｃ  Ｌａｎｄ  Ｍｏｂｉｌｅ  Ｎｅｔｗｏｒｋ）に属するとき、前記ＵＥは、前記第１のネットワークアクセスを通じた前記登録が完了した後にのみ、前記第２のネットワークアクセスを通じた前記登録を開始し、
前記第１のネットワークアクセスを通じた前記登録の間に前記ＵＥに割り当てられた情報は、前記第２のネットワークアクセスを通じた前記登録の間に前記ＵＥのＡＭＦの選択に用いられる、ＵＥ。
【請求項８】
前記第１のネットワークアクセスを通じた前記登録の間に割り当てられた前記情報から選択される前記ＡＭＦは、前記ＵＥのＡＭＦとして前記第１のネットワークアクセスから選択されるＡＭＦと同一である、請求項７に記載のＵＥ。
【請求項９】
前記ＵＥの前記ＡＭＦの選択は、
前記第２のネットワークアクセスが３ＧＰＰアクセスである場合、ｇＮＢによって実行され、
前記第２のネットワークアクセスが非３ＧＰＰアクセスである場合、Ｎ３ＩＷＦ（Ｎｏｎ−３ＧＰＰ  ＩｎｔｅｒＷｏｒｋｉｎｇ  Ｆｕｎｃｔｉｏｎ）によって実行される、請求項７に記載のＵＥ。
【請求項１０】
前記第１のネットワークアクセス及び前記第２のネットワークアクセスは、それぞれ、非３ＧＰＰアクセス及び３ＧＰＰアクセスである、又は、それぞれ、３ＧＰＰアクセス及び非３ＧＰＰアクセスである、請求項７に記載のＵＥ。
【請求項１１】
前記非３ＧＰＰアクセスは、ＷＬＡＮアクセスである、請求項１０に記載のＵＥ。
【請求項１２】
前記第１のネットワークアクセスを通じた前記登録の間に割り当てられた前記情報は、前記ＡＭＦから割り当てられたＩＤ情報である、請求項７に記載のＵＥ。
【国際調査報告】
2019537901.tif 000024
2019537901.tif 000025
2019537901.tif 000026
2019537901.tif 000027
2019537901.tif 000028
2019537901.tif 000029
2019537901.tif 000030
2019537901.tif 000031
2019537901.tif 000032
2019537901.tif 000033
2019537901.tif 000034
2019537901.tif 000035
2019537901.tif 000036
2019537901.tif 000037
2019537901.tif 000038
2019537901.tif 000039
2019537901.tif 000040
2019537901.tif 000041
2019537901.tif 000042
2019537901.tif 000043